(57)【特許請求の範囲】
【請求項１】
ワイヤレス送信／受信ユニット（ＷＴＲＵ）において実施される方法であって、
ページング無線ネットワーク一時識別子（Ｐ−ＲＮＴＩ）でスクランブルされたダウンリンク制御情報（ＤＣＩ）を受信するステップであって、前記ＤＣＩは、システム情報更新インジケータ、単一ビット地震津波警報システム（ＥＴＷＳ）インジケータ、単一ビットコマーシャルモバイルアラートサービス（ＣＭＡＳ）インジケータ、および、単一ビット拡張アクセス規制（ＥＡＢ）インジケータのうちの少なくとも１つを含み、前記ＤＣＩは、ダウンリンク（ＤＬ）グラント情報を含まない、ステップと、
前記システム情報更新インジケータ、前記単一ビットＥＴＷＳインジケータ、前記単一ビットＣＭＡＳインジケータ、および、前記単一ビットＥＡＢインジケータの中の１つまたは複数のインジケータが、前記１つまたは複数のインジケータに関連付けられた１つまたは複数のシステム情報ブロック（ＳＩＢ）が変わったことまたは変わることになることを示すことを条件として、前記１つまたは複数のＳＩＢのうちの少なくとも１つを獲得または再獲得するステップと
を含むことを特徴とする方法。
【請求項２】
前記システム情報更新インジケータは、前記システム情報更新インジケータに関連付けられた１つまたは複数のＳＩＢが変わったことまたは変わることになることを示すための、ＴＲＵＥという値を有する単一ビットであることを特徴とする請求項１に記載の方法。
【請求項３】
前記単一ビットＥＴＷＳインジケータは、前記ＥＴＷＳに関連付けられた１つまたは複数のＳＩＢが変わったことまたは変わることになることを示すための、ＴＲＵＥという値を有することを特徴とする請求項１に記載の方法。
【請求項４】
前記単一ビットＣＭＡＳインジケータは、前記ＣＭＡＳに関連付けられた１つまたは複数のＳＩＢが変わったことまたは変わることになることを示すための、ＴＲＵＥという値を有することを特徴とする請求項１に記載の方法。
【請求項５】
前記単一ビットＥＡＢインジケータは、前記ＥＡＢに関連付けられた１つまたは複数のＳＩＢが変わったことまたは変わることになることを示すための、ＴＲＵＥという値を有することを特徴とする請求項１に記載の方法。
【請求項６】
前記１つまたは複数のＳＩＢは、ＳＩＢ１、ＳＩＢ１０、ＳＩＢ１１、ＳＩＢ１２、または、ＳＩＢ１４のうちの１つまたは複数を含むことを特徴とする請求項１に記載の方法。
【請求項７】
ワイヤレス送信／受信ユニット（ＷＴＲＵ）であって、
ページング無線ネットワーク一時識別子（Ｐ−ＲＮＴＩ）でスクランブルされたダウンリンク制御情報（ＤＣＩ）を受信するように構成された受信ユニットであって、前記ＤＣＩは、システム情報更新インジケータ、単一ビット地震津波警報システム（ＥＴＷＳ）インジケータ、単一ビットコマーシャルモバイルアラートサービス（ＣＭＡＳ）インジケータ、および、単一ビット拡張アクセス規制（ＥＡＢ）インジケータのうちの少なくとも１つを含み、前記ＤＣＩは、ダウンリンク（ＤＬ）グラント情報を含まない、受信ユニットと、
前記システム情報更新インジケータ、前記単一ビットＥＴＷＳインジケータ、前記単一ビットＣＭＡＳインジケータ、および、前記単一ビットＥＡＢインジケータの中の１つまたは複数のインジケータが、前記１つまたは複数のインジケータに関連付けられた１つまたは複数のシステム情報ブロック（ＳＩＢ）が変わったことまたは変わることになることを示すことを条件として、前記１つまたは複数のＳＩＢのうちの少なくとも１つを獲得または再獲得するように構成されたプロセッサと
を備えたことを特徴とするＷＴＲＵ。
【請求項８】
前記システム情報更新インジケータは、前記システム情報更新インジケータに関連付けられた１つまたは複数のＳＩＢが変わったことまたは変わることになることを示すための、ＴＲＵＥという値を有する単一ビットであることを特徴とする請求項７に記載のＷＴＲＵ。
【請求項９】
前記単一ビットＥＴＷＳインジケータは、前記ＥＴＷＳに関連付けられた１つまたは複数のＳＩＢが変わったことまたは変わることになることを示すための、ＴＲＵＥという値を有することを特徴とする請求項７に記載のＷＴＲＵ。
【請求項１０】
前記単一ビットＣＭＡＳインジケータは、前記ＣＭＡＳに関連付けられた１つまたは複数のＳＩＢが変わったことまたは変わることになることを示すための、ＴＲＵＥという値を有することを特徴とする請求項７に記載のＷＴＲＵ。
【請求項１１】
前記単一ビットＥＡＢインジケータは、前記ＥＡＢに関連付けられた１つまたは複数のＳＩＢが変わったことまたは変わることになることを示すための、ＴＲＵＥという値を有することを特徴とする請求項７に記載のＷＴＲＵ。
【請求項１２】
前記１つまたは複数のＳＩＢは、ＳＩＢ１、ＳＩＢ１０、ＳＩＢ１１、ＳＩＢ１２、または、ＳＩＢ１４のうちの１つまたは複数を含むことを特徴とする請求項７に記載のＷＴＲＵ。
【発明の詳細な説明】
【技術分野】
【０００１】
本発明は、無線通信に関する。
【背景技術】
【０００２】
（関連出願の相互参照）
本出願は、内容が参照により本明細書に組み込まれている２０１４年３月１９日に出願された米国仮特許出願第６１／９５５，６４５号の利益を主張するものである。
【０００３】
第３世代パートナーシップ（３ＧＰＰ）ロングタームエボリューションアドバンスト（Long Term Evolution Advanced）（ＬＴＥ−Ａ）において、カバレッジの限定された区域に位置付けられうるワイヤレス送信／受信ユニット（ＷＴＲＵ）をサポートするカバレッジ拡張技法が研究されてきた。そのようなＷＴＲＵは、カバレッジの限定された区域に位置付けられている場合、遅延耐性を有し、縮小された能力を有すること、または限定されたサービスで動作することが可能である。そのようなＷＴＲＵの例が、例えば、非常に高い侵入損失が予期される家屋の地下室の中に位置付けられうる、スマートメータまたはセンサなどの、低コストまたは低複雑度のマシンタイプ通信（ＬＣ−ＭＴＣ）ＷＴＲＵである。
【発明の概要】
【０００４】
方法および装置が説明される。方法が、装置がカバレッジ拡張（ＣＥ（coverage enhancement））モードにあるか、非ＣＥモードにあるかを決定することを含む。方法は、ＷＴＲＵがＣＥモードにあると決定されたという条件付きで、ＣＥシステム情報ブロック（ＣＥ−ＳＩＢ）を、ＣＥ−ＳＩＢに関する知られているロケーションまたは少なくとも１つの知られているパラメータのうちの少なくとも１つに基づいて、物理ダウンリンク共有チャネル（ＰＤＳＣＨ）上で受信することをさらに含む。
【図面の簡単な説明】
【０００５】
添付の図面に関連して例として与えられる、以下の説明からより詳細な理解が得られることが可能である。
【図１Ａ】１つまたは複数の開示される実施形態が実施されることが可能である例示的な通信システムを示すシステム図である。
【図１Ｂ】図１Ａに示される通信システム内で使用されることが可能である例示的なワイヤレス送信／受信ユニット（ＷＴＲＵ）を示すシステム図である。
【図１Ｃ】図１Ａに示される通信システム内で使用されることが可能である例示的な無線アクセスネットワークおよび例示的なコアネットワークを示すシステム図である。
【図２】システム情報（ＳＩ）更新のための変更期間の例を示す図である。
【図３】非ＣＥモードおよびカバレッジ拡張（ＣＥ）モードにおいてシステム情報ブロック（ＳＩＢ）を獲得するＷＴＲＵを含むシステムの例を示す図である。
【図４】非ＣＥモードまたはＣＥモードにおいて使用するように構成されたＷＴＲＵに関するＳＩＢ獲得の例示的な方法を示す流れ図である。
【図５】非ＣＥモードまたはＣＥモードにおいて使用するように構成されたＷＴＲＵに関するＳＩＢ獲得の別の例示的な方法を示す流れ図である。
【図６】時間または時間期間により意味を変更することが可能ないくつかのビットを含む例示的な伝送を示す図である。
【発明を実施するための形態】
【０００６】
図１Ａは、１つまたは複数の開示される実施形態が実施されることが可能である例示的な通信システム１００を示す。通信システム１００は、複数のワイヤレスユーザまたはＭＴＣデバイスに音声、データ、ビデオ、メッセージング、ブロードキャストなどのコンテンツを提供する多元接続システムであることが可能である。通信システム１００は、複数のワイヤレスユーザが、ワイヤレス帯域幅を含め、システムリソースを共有することを介してそのようなコンテンツにアクセスすることを可能にすることが可能である。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を使用することが可能である。
【０００７】
図１Ａに示されるとおり、通信システム１００は、ワイヤレス送信／受信ユニット（ＷＴＲＵ）１０２ａ、１０２ｂ、１０２ｃ、および／または１０２ｄと、無線アクセスネットワーク（ＲＡＮ）１０４と、コアネットワーク１０６と、公衆交換電話ネットワーク（ＰＳＴＮ）１０８と、インターネット１１０と、他のネットワーク１１２とを含むことが可能であり、ただし、開示される実施形態は、任意の数のＷＴＲＵ、基地局、ネットワーク、および／またはネットワーク要素を企図することが認識されよう。ＷＴＲＵ１０２ａ、１０２ｂ、１０２ｃ、１０２ｄのそれぞれは、ワイヤレス環境において動作するようにおよび／または通信するように構成された任意のタイプのデバイスであることが可能である。例として、ＷＴＲＵ１０２ａ、１０２ｂ、１０２ｃ、１０２ｄは、ワイヤレス信号を送信するようにおよび／または受信するように構成されることが可能であり、ユーザ機器（ＵＥ）、移動局、固定加入者ユニットまたは移動加入者ユニット、ポケットベル、セルラー電話、携帯情報端末（ＰＤＡ）、スマートフォン、ラップトップ、ネットブック、パーソナルコンピュータ、ワイヤレスセンサ、家庭用電子機器、ＭＴＣデバイスなどを含むことが可能である。
【０００８】
また、通信システム１００は、基地局１１４ａおよび／または基地局１１４ｂを含むことも可能である。基地局１１４ａ、１１４ｂのそれぞれは、ＷＴＲＵ１０２ａ、１０２ｂ、１０２ｃ、１０２ｄのうちの少なくとも１つとワイヤレスで対話して、コアネットワーク１０６、インターネット１１０、および／または、他のネットワーク１１２などの１つまたは複数の通信ネットワークに対するアクセスを容易にするように構成された任意のタイプのデバイスであることが可能である。例として、基地局１１４ａ、１１４ｂは、基地局トランシーバ（ＢＴＳ）、ノードＢ、発展型ノードＢ（ｅＮＢ）、ホームノードＢ（ＨＮＢ）、ホームｅＮＢ（ＨｅＮＢ）、サイトコントローラ、アクセスポイント（ＡＰ）、ワイヤレスルータなどであることが可能である。基地局１１４ａ、１１４ｂはそれぞれ、単一の要素として示されるが、基地局１１４ａ、１１４ｂは、任意の数の互いに接続された基地局および／またはネットワーク要素を含むことが可能であることが認識されよう。
【０００９】
基地局１１４ａは、基地局コントローラ（ＢＳＣ）、無線ネットワークコントローラ（ＲＮＣ）、中継ノードなどの他の基地局および／またはネットワーク要素（図示せず）を含むことも可能なＲＡＮ１０４の一部であることが可能である。基地局１１４ａおよび／または基地局１１４ｂは、セル（図示せず）と呼ばれることが可能な特定の地理的領域内でワイヤレス信号を送信するようにおよび／または受信するように構成されることが可能である。セルは、セクタ、例えば、セルセクタにさらに分割されることが可能である。例えば、基地局１１４ａに関連付けられたセルは、３つのセクタに分割されることが可能である。このため、一実施形態において、基地局１１４ａは、３つのトランシーバ、例えば、セルのセクタごとに１つを含むことが可能である。別の実施形態において、基地局１１４ａは、多入力多出力（ＭＩＭＯ）技術を使用することが可能であり、したがって、セルのセクタごとに複数のトランシーバを利用することが可能である。
【００１０】
基地局１１４ａ、１１４ｂは、任意の適切なワイヤレス通信リンク（例えば、無線周波数（ＲＦ）、マイクロ波、赤外線（ＩＲ）、紫外線（ＵＶ）、可視光など）であることが可能な無線インターフェース１１６を介してＷＴＲＵ１０２ａ、１０２ｂ、１０２ｃ、１０２ｄのうちの１つまたは複数と通信することが可能である。無線インターフェース１１６は、任意の適切な無線アクセス技術（ＲＡＴ）を使用して確立されることが可能である。
【００１１】
より詳細には、前述したとおり、通信システム１００は、多元接続システムであることが可能であり、ＣＤＭＡ、ＴＤＭＡ、ＦＤＭＡ、ＯＦＤＭＡ、ＳＣ−ＦＤＭＡなどの１つまたは複数のチャネルアクセススキームを使用することが可能である。例えば、ＲＡＮ１０４における基地局１１４ａ、および、ＷＴＲＵ１０２ａ、１０２ｂ、１０２ｃが、広帯域ＣＤＭＡ（ＷＣＤＭＡ：登録商標）を使用して無線インターフェース１１６を確立することが可能なユニバーサルモバイルテレコミュニケーションズシステム（universal mobile telecommunications system）地上無線アクセス（ＵＴＲＡ）などの無線技術を実施することが可能である。ＷＣＤＭＡは、高速パケットアクセス（ＨＳＰＡ）および／または発展型ＨＳＰＡ（ＨＳＰＡ＋）などの通信プロトコルを含むことが可能である。ＨＳＰＡは、高速ダウンリンクパケットアクセス（ＨＳＤＰＡ）および／または高速アップリンクパケットアクセス（ＨＳＵＰＡ）を含むことが可能である。
【００１２】
別の実施形態において、基地局１１４ａおよびＷＴＲＵ１０２ａ、１０２ｂ、１０２ｃが、ロングタームエボリューション（ＬＴＥ）および／またはＬＴＥアドバンスト（ＬＴＥ−Ａ）を使用して無線インターフェース１１６を確立することが可能な発展型ＵＴＲＡ（Ｅ−ＵＴＲＡ）などの無線技術を実施することが可能である。
【００１３】
他の実施形態において、基地局１１４ａおよびＷＴＲＵ１０２ａ、１０２ｂ、１０２ｃが、ＩＥＥＥ８０２．１６（すなわち、ワールドワイドインターオペラビリティフォーマイクロウェイブアクセス（worldwide interoperability for microwave access））、ＣＤＭＡ２０００、ＣＤＭＡ２０００  １Ｘ、ＣＤＭＡ２０００エボリューションデータオプティマイズド（evolution-data optimized）（ＥＶ−ＤＯ）、暫定標準２０００（ＩＳ−２０００）、暫定標準９５（ＩＳ−９５）、暫定標準８５６（ＩＳ−８５６）、グローバルシステムフォーモバイルコミュニケーションズ（global system for mobile communications）、エンハンストデータレートフォーＧＳＭエボリューション（enhanced data rates for GSM evolution）（ＥＤＧＥ）、ＧＳＭ／ＥＤＧＥ  ＲＡＮ（ＧＥＲＡＮ）などの無線技術を実施することが可能である。
【００１４】
図１Ａにおける基地局１１４ｂは、例えば、ワイヤレスルータ、ＨＮＢ、ＨｅＮＢ、またはＡＰであることが可能であり、事業の場所、自宅、車両、キャンパスなどの局所化された区域におけるワイヤレス接続を容易にするために任意の適切なＲＡＴを利用することが可能である。一実施形態において、基地局１１４ｂおよびＷＴＲＵ１０２ｃ、１０２ｄが、ＩＥＥＥ８０２．１１などの無線技術を実施して、ワイヤレスローカルエリアネットワーク（ＷＬＡＮ）を確立することが可能である。別の実施形態において、基地局１１４ｂおよびＷＴＲＵ１０２ｃ、１０２ｄが、ＩＥＥＥ８０２．１５などの無線技術を実施して、ワイヤレスパーソナルエリアネットワーク（ＷＰＡＮ）を確立することが可能である。さらに別の実施形態において、基地局１１４ｂおよびＷＴＲＵ１０２ｃ、１０２ｄが、セルラーベースのＲＡＴ（例えば、ＷＣＤＭＡ、ＣＤＭＡ２０００、ＧＳＭ（登録商標）、ＬＴＥ、ＬＴＥ−Ａなど）を利用して、ピコセルまたはフェムトセルを確立することが可能である。図１Ａに示されるとおり、基地局１１４ｂは、インターネット１１０に対する直接の接続を有することが可能である。このため、基地局１１４ｂは、コアネットワーク１０６を介してインターネット１１０にアクセスすることを要求されないことが可能である。
【００１５】
ＲＡＮ１０４は、ＷＴＲＵ１０２ａ、１０２ｂ、１０２ｃ、１０２ｄのうちの１つまたは複数に音声、データ、アプリケーション、および／またはボイスオーバインターネットプロトコル（voice over internet protocol）（ＶｏＩＰ）サービスを提供するように構成された任意のタイプのネットワークであることが可能なコアネットワーク１０６と通信状態にあることが可能である。例えば、コアネットワーク１０６は、呼制御、料金請求サービス、モバイルロケーションベースのサービス、プリペイド通話、インターネット接続、ビデオ配信などを提供すること、および／またはユーザ認証などの高レベルセキュリティ機能を実行することが可能である。図１Ａにおいて示されないものの、ＲＡＮ１０４および／またはコアネットワーク１０６は、ＲＡＮ１０４と同一のＲＡＴ、または異なるＲＡＴを使用する他のＲＡＮと直接または間接の通信状態にあることが可能であることが認識されよう。例えば、Ｅ−ＵＴＲＡ無線技術を利用していることが可能な、ＲＡＮ１０４に接続されていることに加えて、コアネットワーク１０６は、ＧＳＭ無線技術を使用する別のＲＡＮ（図示せず）と通信状態にあることも可能である。
【００１６】
また、コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするゲートウェイの役割をすることも可能である。ＰＳＴＮ１０８は、普通の従来の電話サービス（ＰＯＴＳ）を提供する回線交換電話ネットワークを含むことが可能である。インターネット１１０は、ＴＣＰ／ＩＰスイートにおける伝送制御プロトコル（ＴＣＰ）、ユーザデータグラムプロトコル（ＵＤＰ）、およびインターネットプロトコル（ＩＰ）などの共通の通信プロトコルを使用する互いに接続されたコンピュータネットワークおよびデバイスの地球規模のシステムを含むことが可能である。ネットワーク１１２は、他のサービスプロバイダによって所有されおよび／または運用される有線通信ネットワークまたはワイヤレス通信ネットワークを含むことが可能である。例えば、ネットワーク１１２は、ＲＡＮ１０４と同一のＲＡＴ、または異なるＲＡＴを使用することが可能な１つまたは複数のＲＡＮに接続された別のコアネットワークを含むことが可能である。
【００１７】
通信システム１００におけるＷＴＲＵ１０２ａ、１０２ｂ、１０２ｃ、１０２ｄのうちのいくつか、またはすべては、マルチモード能力を含むことが可能であり、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含むことが可能である。例えば、図１Ａに示されるＷＴＲＵ１０２ｃが、セルラーベースの無線技術を使用することが可能な基地局１１４ａ、およびＩＥＥＥ８０２無線技術を使用することが可能な基地局１１４ｂと通信するように構成されることが可能である。
【００１８】
図１Ｂは、図１Ａに示される通信システム１００内で使用されることが可能である例示的なＷＴＲＵ１０２を示す。図１Ｂに示されるとおり、ＷＴＲＵ１０２は、プロセッサ１１８と、トランシーバ１２０と、送信／受信要素（例えば、アンテナ）１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、周辺装置１３８とを含むことが可能である。ＷＴＲＵ１０２は、実施形態と合致したままでありながら、前述の要素の任意の部分的組合せを含むことが可能であることが認識されよう。
【００１９】
プロセッサ１１８は、汎用プロセッサ、専用プロセッサ、従来のプロセッサ、デジタルシグナルプロセッサ（ＤＳＰ）、マイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、集積回路（ＩＣ）、状態マシンなどであることが可能である。プロセッサ１１８は、信号符号化、データ処理、電力制御、入出力処理、および／またはＷＴＲＵ１０２がワイヤレス環境において動作することを可能にする他の任意の機能を実行することが可能である。プロセッサ１１８は、送信／受信要素１２２に結合されることが可能なトランシーバ１２０に結合されることが可能である。図１Ｂは、プロセッサ１１８とトランシーバ１２０を別々の構成要素として示すが、プロセッサ１１８とトランシーバ１２０は、電子パッケージまたはチップに一緒に組み込まれることが可能である。
【００２０】
送信／受信要素１２２は、無線インターフェース１１６を介して基地局（例えば、基地局１１４ａ）に信号を送信するように、または基地局（例えば、基地局１１４ａ）から信号を受信するように構成されることが可能である。例えば、一実施形態において、送信／受信要素１２２は、ＲＦ信号を送信するようにおよび／または受信するように構成されたアンテナであることが可能である。別の実施形態において、送信／受信要素１２２は、例えば、ＩＲ信号、ＵＶ信号、または可視光信号を送信するようにおよび／または受信するように構成されたエミッタ／検出器であることが可能である。さらに別の実施形態において、送信／受信要素１２２は、ＲＦ信号と光信号の両方を送信するようにおよび受信するように構成されることが可能である。送信／受信要素１２２は、ワイヤレス信号の任意の組合せを送信するようにおよび／または受信するように構成されることが可能である。
【００２１】
さらに、送信／受信要素１２２は、単一の要素として図１Ｂに示されるものの、ＷＴＲＵ１０２は、任意の数の送信／受信要素１２２を含むことが可能である。より詳細には、ＷＴＲＵ１０２は、ＭＩＭＯ技術を使用することが可能である。このため、一実施形態において、ＷＴＲＵ１０２は、無線インターフェース１１６を介してワイヤレス信号を送信するためおよび受信するために２つ以上の送信／受信要素１２２（例えば、複数のアンテナ）を含むことが可能である。
【００２２】
トランシーバ１２０は、送信／受信要素１２２によって送信されるべき信号を変調するように、および、送信／受信要素１２２によって受信される信号を復調するように構成されることが可能である。前述したとおり、ＷＴＲＵ１０２は、マルチモード能力を有することが可能である。このため、トランシーバ１２０は、ＷＴＲＵ１０２が、例えば、ＵＴＲＡおよびＩＥＥＥ８０２．１１などの複数のＲＡＴを介して通信することを可能にするための複数のトランシーバを含むことが可能である。
【００２３】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合されることが可能であり、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）からユーザ入力データを受信することが可能である。また、プロセッサ１１８は、スピーカ／マイクロフォン１２４、キーパッド１２６、および／またはディスプレイ／タッチパッド１２８にユーザデータを出力することも可能である。さらに、プロセッサ１１８は、非リムーバブルメモリ１３０および／またはリムーバブルメモリ１３２などの任意のタイプの適切なメモリからの情報にアクセスすることが可能であり、そのような任意のタイプの適切なメモリにデータを記憶することが可能である。非リムーバブルメモリ１３０は、ランダムアクセスメモリ（ＲＡＭ）、読取り専用メモリ（ＲＯＭ）、ハードディスク、または、他の任意のタイプのメモリストレージデバイスを含むことが可能である。リムーバブルメモリ１３２は、加入者ＩＤモジュール（ＳＩＭ）カード、メモリスティック、セキュアデジタル（ＳＤ）メモリカードなどを含むことが可能である。他の実施形態において、プロセッサ１１８は、サーバ上または自宅コンピュータ（図示せず）上などの、ＷＴＲＵ１０２上に物理的に位置付けられていないメモリからの情報にアクセスすること、および、そのようなメモリにデータを記憶することが可能である。
【００２４】
プロセッサ１１８は、電源１３４から電力を受けることが可能であり、ＷＴＲＵ１０２におけるその他の構成要素に対して電力を配るようにおよび／または制御するように構成されることが可能である。電源１３４は、ＷＴＲＵ１０２に電力を供給するための任意の適切なデバイスであることが可能である。例えば、電源１３４は、１つまたは複数の乾電池（例えば、ニッケルカドミウム（ＮｉＣｄ）、ニッケル亜鉛（ＮｉＺｎ）、ニッケル金属水素（ＮｉＭＨ）、リチウムイオン（Ｌｉ−ｉｏｎ）など）、太陽電池、燃料電池などを含むことが可能である。
【００２５】
また、プロセッサ１１８は、ＷＴＲＵ１０２の現在地に関する位置情報（例えば、経度と緯度）を提供するように構成されることが可能なＧＰＳチップセット１３６に結合されることも可能である。ＧＰＳチップセット１３６からの情報に加えて、または、そのような情報の代わりに、ＷＴＲＵ１０２は、基地局（例えば、基地局１１４ａ、１１４ｂ）から無線インターフェース１１６を介して位置情報を受信すること、および／または、近くの２つ以上の基地局から受信されている信号のタイミングに基づいて、それの位置を決定することも可能である。ＷＴＲＵ１０２は、実施形態と合致したままでありながら、任意の適切な位置決定方法を用いて位置情報を獲得することが可能である。
【００２６】
プロセッサ１１８は、さらなる特徴、機能、および／または、有線接続またはワイヤレス接続を提供する１または複数のソフトウェアモジュールおよび／またはハードウェアモジュールを含むことが可能な他の周辺装置１３８にさらに結合されることが可能である。例えば、周辺装置１３８は、加速度計、電子コンパス、衛星トランシーバ、デジタルカメラ（写真またはビデオのための）、ユニバーサルシリアルバス（ＵＳＢ）ポート、振動デバイス、テレビトランシーバ、ハンズフリーヘッドセット、Ｂｌｕｅｔｏｏｔｈ（登録商標）モジュール、周波数変調された（ＦＭ）無線ユニット、デジタル音楽プレーヤ、メディアプレーヤ、ビデオゲームプレーヤモジュール、インターネットブラウザなどを含むことが可能である。
【００２７】
図１Ｃは、図１Ａに示される通信システム１００内で使用されることが可能な例示的なＲＡＮ１０４および例示的なコアネットワーク１０６を示す。前述したとおり、ＲＡＮ１０４は、Ｅ−ＵＴＲＡ無線技術を使用して、無線インターフェース１１６を介してＷＴＲＵ１０２ａ、１０２ｂ、１０２ｃと通信することが可能である。また、ＲＡＮ１０４は、コアネットワーク１０６と通信状態にあることも可能である。
【００２８】
ＲＡＮ１０４は、ｅＮＢ１４０ａ、１４０ｂ、１４０ｃを含むことが可能であり、ただし、ＲＡＮ１０４は、実施形態と合致したままでありながら、任意の数のｅＮＢを含むことが可能であることが認識されよう。ｅＮＢ１４０ａ、１４０ｂ、１４０ｃはそれぞれ、無線インターフェース１１６を介してＷＴＲＵ１０２ａ、１０２ｂ、１０２ｃと通信するための１つまたは複数のトランシーバを含むことが可能である。一実施形態において、ｅＮＢ１４０ａ、１４０ｂ、１４０ｃは、ＭＩＭＯ技術を実施することが可能である。このため、例えば、ｅＮＢ１４０ａが、複数のアンテナを使用して、ＷＴＲＵ１０２ａにワイヤレス信号を送信すること、および、ＷＴＲＵ１０２ａからワイヤレス信号を受信することが可能である。
【００２９】
ｅＮＢ１４０ａ、１４０ｂ、１４０ｃのそれぞれは、特定のセル（図示せず）に関連付けられることが可能であり、無線リソース管理決定、ハンドオーバ決定、アップリンクおよび／またはダウンリンクにおけるユーザのスケジューリングなどを扱うように構成されることが可能である。図１Ｃに示されるとおり、ｅＮＢ１４０ａ、１４０ｂ、１４０ｃは、Ｘ２インターフェースを介して互いに通信することが可能である。
【００３０】
図１Ｃに示されるコアネットワーク１０６は、モビリティ管理エンティティ（ＭＭＥ）１４２と、サービングゲートウェイ１４４と、パケットデータネットワーク（ＰＤＮ）ゲートウェイ１４６とを含むことが可能である。前述の要素のそれぞれは、コアネットワーク１０６の一部として示されるものの、これらの要素のうちのいずれの１つも、コアネットワークオペレータ以外のエンティティによって所有されおよび／または運用されることが可能であることが認識されよう。
【００３１】
ＭＭＥ１４２は、Ｓ１インターフェースを介してＲＡＮ１０４におけるｅＮＢ１４０ａ、１４０ｂ、１４０ｃのそれぞれに接続されることが可能であり、制御ノードの役割をすることが可能である。例えば、ＭＭＥ１４２が、ＷＴＲＵ１０２ａ、１０２ｂ、１０２ｃのユーザを認証すること、ベアラ活性化／不活性化、ＷＴＲＵ１０２ａ、１０２ｂ、１０２ｃの初期アタッチ中に特定のサービングゲートウェイを選択することなどを担うことが可能である。また、ＭＭＥ１４２は、ＲＡＮ１０４とＧＳＭまたはＷＣＤＭＡなどの他の無線技術を使用する他のＲＡＮ（図示せず）との間で切り換えるための制御プレーン機能を提供することも可能である。
【００３２】
サービングゲートウェイ１４４は、Ｓ１インターフェースを介してＲＡＮ１０４におけるｅＮＢ１４０ａ、１４０ｂ、１４０ｃのそれぞれに接続されることが可能である。サービングゲートウェイ１４４は、一般に、ＷＴＲＵ１０２ａ、１０２ｂ、１０２ｃへ／からユーザデータパケットをルーティングすること、および、転送することが可能である。また、サービングゲートウェイ１４４は、ｅＮＢ間ハンドオーバ中にユーザプレーンをアンカリングすること、ＷＴＲＵ１０２ａ、１０２ｂ、１０２ｃにダウンリンクデータが利用可能である場合にページングをトリガすること、ＷＴＲＵ１０２ａ、１０２ｂ、１０２ｃなどのコンテキストを管理することおよび記憶することなどの他の機能を実行することも可能である。
【００３３】
また、サービングゲートウェイ１４４は、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスとの間の通信を容易にすることが可能なＰＤＮゲートウェイ１４６に接続されることも可能である。
【００３４】
コアネットワーク１０６は、他のネットワークとの通信を容易にすることが可能である。例えば、コアネットワーク１０６は、ＰＳＴＮ１０８などの回線交換ネットワークに対するアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることが可能である。例えば、コアネットワーク１０６は、コアネットワーク１０６とＰＳＴＮ１０８との間のインターフェースの役割をするＩＰゲートウェイ（例えば、ＩＰマルチメディアサブシステム（ＩＭＳ）サーバ）を含むことが可能である、または、そのようなＩＰゲートウェイと通信することが可能である。さらに、コアネットワーク１０６は、他のサービスプロバイダによって所有されおよび／または運用される他の有線ネットワークまたはワイヤレスネットワークを含むことが可能なネットワーク１１２に対するアクセスをＷＴＲＵ１０２ａ、１０２ｂ、１０２ｃに提供することが可能である。
【００３５】
ＬＴＥ−Ａシステムまたは他のシステムにおいて、マシンタイプの通信（ＭＴＣ）ＷＴＲＵまたは低コスト（ＬＣ）−ＭＴＣ  ＷＴＲＵであること、または、マシンタイプの通信（ＭＴＣ）ＷＴＲＵまたは低コスト（ＬＣ）−ＭＴＣ  ＷＴＲＵを含むことが可能なＷＴＲＵは、アップリンクに関して、ダウンリンクに関して、または、アップリンクとダウンリンクの両方に関してカバレッジ拡張（ＣＥ）モードで動作することが可能である。ＣＥモードにおいて、カバレッジ拡張の量（例えば、２０ｄＢ）までが、緩和された遅延要件および／またはスループット要件などの、１つまたは複数の緩和された要件でアップリンクに関して、ダウンリンクに関して、または、アップリンクとダウンリンクの両方に関してサポートされることが可能である。
【００３６】
ＣＥモードまたは非ＣＥ（例えば、レガシーまたは通常）モードにおけるＷＴＲＵは、システム情報（ＳＩ）を獲得することが可能である、または、獲得する必要がある可能性がある。ＳＩは、ＷＴＲＵが、セルにアクセスするためにまたはセル再選択を実行するために必要とする可能性がある情報であることが可能である。ＳＩは、周波数内測定、周波数間測定、または、無線アクセス技術間（ＲＡＴ間）測定、セル選択またはセル再選択のうちの少なくとも１つと関係する情報であることが可能である。そのようなシステム情報は、システム情報ブロック（ＳＩＢ）によって搬送されることが可能である。ＳＩＢによって搬送される情報のうちのいくつかは、無線リソース制御（ＲＲＣ）アイドルモード（例えば、ＲＲＣ＿ＩＤＬＥモード）におけるＷＴＲＵに適用可能であることが可能である。他のシステム情報は、ＲＲＣ接続モード（例えば、ＲＲＣ＿ＣＯＮＮＥＣＴＥＤモード）におけるＷＴＲＵに適用可能であることが可能である、または、適用可能であることも可能である。
【００３７】
各ＳＩＢは、機能関連のパラメータのセットを含むことが可能である。ＳＩＢは、例えば、マスタ情報ブロック（ＭＩＢ）、システム情報ブロックタイプ１（ＳＩＢ１）、システム情報ブロックタイプ２（ＳＩＢ２）、または、システム情報ブロックタイプ３〜８（ＳＩＢ３〜８）を含むことが可能ないくつかの異なるタイプのうちの１つであることが可能である。ＭＩＢは、ネットワークに対するＷＴＲＵのアクセスまたは初期アクセスに不可欠であると考えられることが可能であるいくつかの、例えば、限定された数のパラメータを含むことが可能である。ＭＩＢは、４０ミリ秒ごとにブロードキャストされることが可能であり、反復は、４０ミリ秒内に行われることが可能である。ＳＩＢ１は、セルがセル選択に適しているかどうかを決定するのに必要とされることが可能なパラメータを含むことが可能である。ＳＩＢ１は、その他のＳＩＢの時間領域スケジューリングに関する情報を含むことが可能である。ＳＩＢ１は、８０ミリ秒ごとにブロードキャストされることが可能であり、反復は、８０ミリ秒内に行われることが可能である。伝送は、システムフレーム番号（ＳＦＮ）にしたがうことが可能である。例えば、ＳＩＢ１の第１の伝送が、ＳＦＮ  ｍｏｄ  ８＝０である無線フレームにおいてであることが可能であり、反復が、ＳＦＮ  ｍｏｄ  ２＝０である他の無線フレームにおいてスケジューリングされることが可能である。ＳＩＢ１は、無線フレームのサブフレーム＃５において伝送されることが可能である。ＳＩＢ２は、共通チャネル情報および共有チャネル情報を含むことが可能であり、ＳＩＢ３〜ＳＩＢ８は、周波数内セル再選択、周波数間セル再選択、および、ＲＡＴ間セル再選択のために、または、そのようなセル再選択を制御するのに使用されることが可能なパラメータを含むことが可能である。
【００３８】
ＳＦＮまたはＳＦＮの少なくとも一部（例えば、１０ビットＳＦＮの最上位８ビット）がＭＩＢに含められることが可能である。物理ブロードキャストチャネル（ＰＢＣＨ）が、ＭＩＢを搬送することが可能である。
【００３９】
ＳＩＢ、例えば、ＳＩＢ２〜ＳＩＢ１６が、ダウンリンク共有チャネル（ＤＬ−ＳＣＨ）で伝送されることが可能なシステム情報（ＳＩ）メッセージにマッピングされることが可能である。物理ＤＬ共有チャネル（ＰＤＳＣＨ）が、システム情報、例えば、ＳＩＢ２〜１６のうちの１つまたは複数などのＳＩＢを搬送することが可能である。ＳＩメッセージに対するＳＩＢのマッピングは、柔軟であることが可能である。マッピングは、ＳＩＢ１（例えば、ＳｙｓｔｅｍＩｎｆｏｒｍａｔｉｏｎＢｌｏｃｋ１）において搬送されることが可能であり、ｓｃｈｅｄｕｌｉｎｇＩｎｆｏＬｉｓｔに含められることが可能である。各ＳＩＢは、単一のＳＩメッセージの中に（例えば、その中だけに）包含されることが可能である。同一のスケジューリング要件または同一の周期性を有するＳＩＢは、同一のＳＩメッセージにマッピングされることが可能である。ＳＩＢ２（例えば、ＳｙｓｔｅｍＩｎｆｏｒｍａｔｉｏｎＢｌｏｃｋＴｙｐｅ２）は、ｓｃｈｅｄｕｌｉｎｇＩｎｆｏＬｉｓｔにおけるＳＩメッセージのリストにおける第１のエントリに対応するＳＩメッセージにマッピングされることが可能である、または、常にマッピングされることが可能である。
【００４０】
各ＳＩメッセージは、時間領域ウインドウ（ＳＩウインドウ）において周期的に伝送されることが可能であり、異なるＳＩメッセージに関するＳＩウインドウが重なり合うことは可能でない。ＳＩウインドウ内で、ＳＩメッセージは、連続的である必要がない可能性があり、動的にスケジューリングされることが可能である（例えば、ＳＩ無線ネットワーク一時識別子（ＳＩ−ＲＮＴＩ）を使用して）。ＳＩウインドウの長さは、すべてのＳＩメッセージに関して共通であることが可能であり、構成可能であることが可能である。完全なＳＩメッセージが、チャネル符号化されて、ＳＩウインドウにおける複数の、ただし、必ずしも連続的でないサブフレームにマッピングされることが可能である。後続のＳＩ伝送は、第１のＳＩ伝送の自律的ハイブリッド自動再送要求（ＨＡＲＱ）再伝送と見なされることが可能である。
【００４１】
ＳＩメッセージに関するＳＩウインドウの開始を決定する手順は、以下のとおりであることが可能である。特定のＳＩメッセージに関して、ＳＩメッセージのリストにおけるエントリの順序に対応することが可能な番号ｎを決定する。ｘ＝（ｎ−１）*ｗを決定し、ここで、ｗは、ｓｉ−ＷｉｎｄｏｗＬｅｎｇｔｈであることが可能である。ＳＩウインドウは、Ｔが、関与するＳＩメッセージのｓｉ−Ｐｅｒｉｏｄｉｃｉｔｙであることが可能な、システムフレーム番号（ＳＦＮ）  ｍｏｄ  Ｔ＝ＦＬＯＯＲ（ｘ／１０）である無線フレームにおける、ａ＝ｘ  ｍｏｄ  １０である、サブフレーム＃ａにおいて開始することが可能である。
【００４２】
システム情報（例えば、地震津波警報システム（Earthquake Tsunami Warning System）（ＥＴＷＳ）、コマーシャルモバイルアラートサービス（Commercial Mobile Alert Service）（ＣＭＡＳ）、および／または拡張アクセス規制（Extended Access Barring）（ＥＡＢ）パラメータなどの一部のシステム情報以外の）における変化は、特定のフレームにおいて生じることが可能である、または、特定のフレームだけにおいて生じることが可能である。例えば、変更期間（modification period）が使用されることが可能である。
【００４３】
図２は、ＳＩ更新に関する例示的な変更期間の図２００である。図２に示される例において、ネットワークがシステム情報のうちの少なくともいくつかを変化させる場合、それは、例えば、変更期間２０２中にまたは変更期間２０２の間ずっと、変化についてＷＴＲＵに最初に通知することが可能である。次に、ネットワークは、次の変更期間２０４において更新された情報を送ることが可能である。元のシステム情報と更新されたシステム情報は、図２において異なるパターンによって表される。例えば、変更期間２０２において、変化通知を受信すると、ＷＴＲＵは、例えば、次の変更期間２０４の開始から、新たなシステム情報を獲得する。ＷＴＲＵは、ＷＴＲＵが新たなシステム情報を獲得するまで、以前に獲得されたシステム情報を適用することが可能である。
【００４４】
変更期間境界は、ＳＦＮ  ｍｏｄ  ｍ＝０であるＳＦＮ値によって定義されることが可能であり、ここで、ｍは、変更期間を備える無線フレームの番号（the number of radio frames）であることが可能である。変更期間は、システム情報によって構成されることが可能である。Ｐａｇｉｎｇメッセージが、システム情報変更についてＷＴＲＵに知らせるのに使用されることが可能である。ＷＴＲＵが、システム情報変更の表示を含むＰａｇｉｎｇメッセージ、例えば、ｓｙｓｔｅｍＩｎｆｏＭｏｄｉｆｉｃａｔｉｏｎを受信した場合、それは、そのシステム情報が次の変更期間境界で変化することを知ることが可能である。
【００４５】
ＳＩＢ１は、ＳＩメッセージにおいて変化が生じているかどうかを示す（indicate）ことが可能な値タグ、例えば、ｓｙｓｔｅｍＩｎｆｏＶａｌｕｅＴａｇを含むことが可能である。ＷＴＲＵは、その値タグを使用して（例えば、カバレッジ外から戻った後）、以前に記憶されたＳＩメッセージが依然として有効であることが可能であるかどうかを決定すること、または、検証することが可能である。ＷＴＲＵは、そうでないことが指定されない限り、例えば、それが有効であると確認されることに成功した時刻または時点から３時間などの期間の後、記憶されたシステム情報を無効であると見なすことが可能である。
【００４６】
セル選択を実行するＷＴＲＵなどのＷＴＲＵは、セルによって伝送されることが可能なＳＩ（例えば、ＭＩＢおよび／または１つまたは複数のＳＩＢ）を読み取って（例えば、受信しておよび／または復号して）、システム情報を得ることが可能である。システム情報は、ＷＴＲＵによって必要とされる、または、セルが適切であるかどうかをＷＴＲＵが決定するためのパラメータ、および／または、ＷＴＲＵがセルにアクセスすることができるようにすることが可能なパラメータ（例えば、初期ランダムアクセス手順のための物理ランダムアクセスチャネル（ＰＲＡＣＨ）パラメータ）を含むことが可能である。ＳＩを得た後、ＷＴＲＵは、値タグを使用して、ＳＩが変化しているかどうか、および／または、ＳＩＢのいくつかもしくはすべてを再獲得すべきかどうかを決定することが可能である。
【００４７】
アイドルモード（例えば、ＲＲＣアイドルモード）において、ＷＴＲＵは、セルにキャンプオンされること、および／または、ネットワークにアタッチされることが可能であり、不連続受信（ＤＲＸ）サイクルを使用して、スリープおよび起動を行って、例えば、ネットワークからのページングを受信することおよび／または読み取ることが可能である。ページングは、着信呼を示すことが可能であり、または、１または複数のＳＩ変化表示を含むことが可能である。ＳＩ変化表示は、例えば、値タグに関連付けられた少なくとも１つのＳＩＢ、または、ＥＴＷＳ情報を包含するＳＩＢなどのクリティカルである（critical）または時間に左右される（time-sensitive）と見なされることが可能な情報を包含する少なくとも１つのＳＩＢの変化の表示を含むことが可能である。そのような表示を含むページングを読み取ると、または、読み取った後、ＷＴＲＵは、関連する１つのＳＩＢまたは複数のＳＩＢを獲得することおよび／または読み取ることが可能である。ＷＴＲＵは、次の変更期間の開始まで待ってから、関連する１つのＳＩＢまたは複数のＳＩＢを獲得することおよび／または読み取ることが可能である。接続モード（例えば、ＲＲＣ接続モード）において、ＷＴＲＵは、１または複数のＳＩ変化表示を含むことが可能なページングをネットワークから受信することが可能である。
【００４８】
ＷＴＲＵは、ページング無線ネットワーク一時識別子（Ｐ−ＲＮＴＩ）でスクランブルされたダウンリンク制御情報（ＤＣＩ）を介してページングを受信することが可能である。ＤＣＩは、ページングメッセージを搬送する物理ダウンリンク共有チャネル（ＰＤＳＣＨ）に関する許可を含むことが可能である。ページング（例えば、ページングＤＣＩ）を受信すると、ＷＴＲＵは、対応するＰＤＳＣＨを読み取って、１または複数のＳＩ変化表示および／または着信呼ページングなどの他のページングを含むことが可能なページングメッセージを得ることが可能である。
【００４９】
アイドルモードおよび／または接続モードにおけるＷＴＲＵは、最新のシステム情報、例えば、最新のＭＩＢ、および、ＳＩＢ１およびＳＩＢ２〜ＳＩＢ８などのいくつかのＳＩＢを、それらのＳＩＢが対応することが可能な無線アクセス技術（ＲＡＴ）のサポートに依存して、保持する必要があることが可能である。
【００５０】
モードおよび状態という用語は、本明細書において互換的に使用されることが可能である。アイドルモードとは、ＲＲＣアイドルモードまたはＲＲＣアイドル状態を指すことが可能である。接続モードとは、ＲＲＣ接続モードまたはＲＲＣ接続状態を指すことが可能である。ＲＲＣ＿ＩＤＬＥが、アイドルモードまたはアイドル状態を表すのに使用されることが可能である。ＲＲＣ＿ＣＯＮＮＥＣＴＥＤが、接続モードまたは接続状態を表すのに使用されることが可能である。
【００５１】
ＳＩメッセージは、例えば、反復的に伝送されて、増大されたカバレッジを提供することが可能である。多くの（例えば、１５または２０ｄＢ）のカバレッジ向上が要求される可能性がある場合、ＳＩメッセージ伝送の多数の反復が必要である可能性がある。多数のＳＩメッセージ伝送に関連するオーバヘッドは、過度であることが可能であり、大量のＰＤＳＣＨリソースを潜在的に消費する可能性がある。ＣＥモードにおけるＷＴＲＵは、すべてのＳＩＢ情報は必要としない可能性があるので、１つまたは複数のＳＩＢのセット（例えば、別個のセット）が、少なくとも、ＣＥモードにおけるＷＴＲＵに提供されることおよび／またはそのようなＷＴＲＵのために使用されることが可能である。このＳＩＢまたはこれらのＳＩＢは、非ＣＥモードにおけるＷＴＲＵ（または少なくともＷＴＲＵ）によって使用されることが可能なまたはそのようなＷＴＲＵに向けられることが可能な１つまたは複数のＳＩＢ（例えば、それらのＳＩＢの完全セットまたはサブセット）と比べて、より少ない情報を搬送することが可能であり、および／または、より少ない頻度で伝送されることが可能である。
【００５２】
１または複数のＳＩＢを包含するＳＩメッセージは、ＰＤＳＣＨを介して搬送されることが可能であり、ＰＤＳＣＨは、対応するＳＩウインドウ内の１または複数のサブフレームにおいてスケジューリングされることが可能である。ＳＩメッセージを搬送するＰＤＳＣＨは、ＳＩ−ＲＮＴＩでスクランブルされた関連するＰＤＣＣＨと一緒に動的にスケジューリングされることが可能である。ＷＴＲＵは、ＳＩ−ＲＮＴＩでスクランブルされたＰＤＣＣＨを、例えば、継続的に監視して、対応するＳＩウインドウにおけるＳＩメッセージを受信することが可能である。ＷＴＲＵが、ＳＩウインドウ内で複数のＳＩメッセージを受信した場合、ＷＴＲＵは、それらのＳＩメッセージが、複数のサブフレームを介して反復的に伝送されているものと想定することが可能である。ＣＥモードにおいて、関連するＰＤＣＣＨは、反復的に伝送されて、強化されたカバレッジを得ることが可能である、または、そうする必要がある可能性もある。したがって、同一のサブフレームにおけるＳＩメッセージを搬送するＰＤＳＣＨの動的スケジューリングは、ＣＥモードにおいてもはや利用可能でない可能性がある。ＳＩメッセージを搬送するＰＤＳＣＨをスケジューリングするための新たな機構が必要とされる可能性がある。
【００５３】
ＷＴＲＵは、ＳＩメッセージが変更期間内に同一であるものと想定することが可能であり、変更期間内のＳＩメッセージを統合して、ＳＩメッセージのカバレッジを向上させることが可能である。変更期間構成は、ＳＩＢ１において提供されることが可能である。カバレッジ限定されたＷＴＲＵは、ＣＥモードにおいて変更期間内でＳＩＢ１を包含するＳＩメッセージを複数回、統合する必要がある可能性がある。変更期間はＳＩＢ１において提供される可能性があるので、ＷＴＲＵは、変更期間を知ることなしに、ＳＩＢ１を包含するＳＩメッセージを受信する必要がある可能性があり、このことは、パフォーマンス低下をもたらす可能性がある。ＣＥモードに関する１または複数のＳＩＢに関して、そのＳＩＢまたはそれらのＳＩＢに関する変更期間は、固定されること、または、ＭＩＢを介するなど別の手段によって提供されることが可能である。
【００５４】
ＳＩメッセージを包含するＰＤＳＣＨは、セル特有の参照信号（ＣＲＳ：cell specific reference signal）ベースの伝送モードを介して伝送されることが可能であり、または、そのような伝送モードを介してだけ伝送されることが可能である。ＳＩメッセージは、ＣＲＳがＰＤＳＣＨ領域において利用可能であるマルチメディアブロードキャスト単一周波数ネットワーク（ＭＢＳＦＮ）サブフレームにおいて伝送されることが可能であり、または、そのようなサブフレームにおいてだけ伝送されることが可能である。ＭＢＳＦＮサブフレーム構成は、ＳＩメッセージのうちの１つにおいて伝送されることが可能であるので、カバレッジ限定されたＷＴＲＵは、それが、ＭＢＳＦＮサブフレーム構成を包含するＳＩメッセージを受信するまで、ＭＢＳＦＮサブフレーム構成を得ることができない可能性がある。ＳＩメッセージ反復のためのダウンリンクサブフレームの数は、要求されるカバレッジ拡張を実現するのに十分でない可能性がある、非ＭＢＳＦＮ候補サブフレームに限定される可能性がある。
【００５５】
ＣＥモードまたはＣＥ動作は、例えば、必要であると考えられることが可能な、チャネルおよび／または情報を繰り返すことによってＷＴＲＵに増大されたカバレッジを提供することが可能である。例えば、ＬＴＥにおいて、システム情報が、スケジューリングにしたがってブロードキャストされることが可能であり、ＷＴＲＵが、ＰＤＣＣＨを監視して、ＳＩＢを搬送するＰＤＳＣＨのプレゼンス、ロケーション、およびパラメータを決定することが可能である。ＣＥモードにおけるＷＴＲＵに関して、システム情報の多くは、ＷＴＲＵが、ＣＥモードにある間、低いモビリティを有することが可能であるので、必要とされない可能性がある。さらに、ＣＥモードのために必要とされるシステム情報ブロードキャストの広範な反復は、ＷＴＲＵバッテリ電力の実質的な量を浪費する可能性がある。
【００５６】
本明細書において説明される実施形態は、ＷＴＲＵが、ＣＥモードにある場合に、ＰＤＣＣＨまたは強化されたＰＤＣＣＨ（ＥＰＤＣＣＨ）を監視することなしに、ＣＥ−ＳＩＢを受信することができるようにすることが可能であり、このことは、ＷＴＲＵがＣＥモードにある間のＷＴＲＵのバッテリ消費を低減することが可能である。さらに、本明細書において説明される実施形態は、ＷＴＲＵが、利用可能なシステム情報のサブセットを受信することができるようにすることが可能であり、このことは、ＷＴＲＵが、それが関係があると見なすシステム情報を受信すること、または、そのようなシステム情報だけを受信することができるようにして、システムの効率を向上させることが可能である。本明細書において説明されるＣＥ−ＳＩＢは、ＭＴＣ−ＳＩＢ、ＬＣ−ＭＴＣ−ＳＩＢ、新たなＳＩＢ、コンパクトＳＩＢ、およびＣＥ−ＭＴＣ−ＳＩＢと、ただし、以上に限定されずに、互換的に使用されることが可能である。１または複数のＣＥ−ＳＩＢが存在することが可能である。
【００５７】
ＭＴＣ−ＳＩＢは、ＣＥモードＷＴＲＵによって、または、ＣＥモードＷＴＲＵのために使用されることが可能であるが、その使用は、ＣＥモードＷＴＲＵに限定されないことが可能である。例えば、低減された帯域幅などの低減された能力のＷＴＲＵが、ＭＴＣ−ＳＩＢを使用することが可能であり、または、使用することも可能である。
【００５８】
ｅＮＢおよびセルという用語は、本明細書において互換的に使用されることが可能である。また、通常、非ＣＥおよびレガシーという用語も、本明細書において互換的に使用されることが可能である。説明される実施形態において、ＰＤＣＣＨまたはＥＰＤＣＣＨは、物理制御チャネルの例として使用されることが可能である。しかし、開示される実施形態のそれぞれにおいて、ＰＤＣＣＨ、ＥＰＤＣＣＨ、他の任意の物理制御チャネル、または物理制御チャネルの組合せが使用されることが可能である。
【００５９】
図３は、非ＣＥ（例えば、レガシーまたは通常）モードおよびＣＥモードにおいてＳＩＢを獲得するＷＴＲＵを含む例示的なシステム３００の図である。図３に示される例において、非ＣＥモードにおいて動作するＷＴＲＵ３０８、およびＣＥモードにおいて動作するＷＴＲＵ３１０が、ＣＥモードをサポートするｅＮＢ３０２からシステム情報を獲得する。非ＣＥモードＷＴＲＵ３０８が、ＰＤＣＣＨを使用して、物理ダウンリンク共有チャネル（ＰＤＳＣＨ）３０４上で１つまたは複数のＳＩＢを受信するためのロケーションおよび／またはパラメータを識別することが可能である。ＣＥモードＷＴＲＵ３１０が、知られているロケーションまたは少なくとも１つの知られているパラメータ３０６のうちの少なくとも１つに基づいて、ＰＤＳＣＨ上でＣＥ−ＳＩＢを受信することが可能である。実施形態において、ＣＥモードＷＴＲＵ３１０が、ＰＤＣＣＨを使用することなしにＰＤＳＣＨ上でＣＥ−ＳＩＢを受信することが可能である。別の実施形態において、ＣＥモードＷＴＲＵ３１０が、ＰＤＳＣＨが全く要求されないように、固定されたＥＰＤＤＣＨおよび／または知られているＥＰＤＣＣＨをＣＥ−ＳＩＢのためのコンテナとして使用することが可能である。図示されるｅＮＢ３１２は、ＣＥモードをサポートしない。ＣＥモードをサポートするｅＮＢ３０２、および、ＣＥモードＷＴＲＵ３１０は、ＳＩ更新のためにＰＤＳＣＨなしにＥＰＤＣＣＨを使用することが可能である。実施形態において、ＣＥ−ＳＩＢは、例えば、ＣＥモードＷＴＲＵ３１０に関係のあるＳＩＢだけを含むことが可能である、コンパクトな別個のＳＩＢであることが可能である。１または複数のＣＥ−ＳＩＢが存在することが可能である。
【００６０】
図３において、ＷＴＲＵ３０８および３１０に異なる参照符号が与えられる。ＷＴＲＵ３０８および３１０は、異なるモードで動作する別々のＷＴＲＵであることが可能である（例えば、ＷＴＲＵ３０８は、非ＣＥモードにあり、ＷＴＲＵ３１０は、ＣＥモードにある）。しかし、ＷＴＲＵ３０８および３１０は、複数のモードで（例えば、非ＣＥモードとＣＥモードの両方で）動作可能である同一のＷＴＲＵであることが可能である。例えば、ＷＴＲＵは、あるときは、非ＣＥモードで動作することが可能であり、別のときには、ＣＥモードで動作することが可能である。
【００６１】
図４は、非ＣＥモードまたはカバレッジ拡張（ＣＥ）モードにおいて使用するように構成されたＷＴＲＵに関するＳＩＢ獲得の例示的な方法４００の流れ図である。図４に示される例において、ＷＴＲＵが、それがいずれのモードにあるかを決定することが可能である（４０２）。例えば、ＷＴＲＵは、それがＣＥモードにあるか、通常モードにあるかなどを決定することが可能である。ＷＴＲＵがＣＥモードにあると決定されたという条件付きで（４０４）、ＷＴＲＵは、物理ダウンリンク共有チャネル（ＰＤＳＣＨ）上でＣＥシステム情報ブロック（ＣＥ−ＳＩＢ）を受信することが可能である（４０６）。実施形態において、ＷＴＲＵが、物理ブロードキャストチャネル（ＰＢＣＨ）からの情報を使用して、ＰＤＳＣＨ上でＣＥ−ＳＩＢを受信するかどうか、および／または、ＣＥ−ＳＩＢの受信のために１つまたは複数のパラメータを得るかどうかを決定することも可能である。ＷＴＲＵは、例えば、知られているロケーション、または、ＣＥ−ＳＩＢのための少なくとも１つの知られているパラメータのうちの少なくとも１つに基づいて、ＣＥ−ＳＩＢを受信することが可能である。実施形態において、ＷＴＲＵは、物理ダウンリンク制御チャネル（ＰＤＣＣＨ）などの制御チャネルを受信することなしに、ＰＤＳＣＨ上でＣＥ−ＳＩＢを受信することが可能である。ＷＴＲＵが非ＣＥモードにあると決定されたという条件付きで（４０８）、ＷＴＲＵは、ＰＤＣＣＨを監視し（４１０）、ＳＩＢ（例えば、レガシーＳＩＢ、非ＣＥ  ＳＩＢ、または通常ＳＩＢ）を、物理ダウンリンク制御チャネル（ＰＤＣＣＨ）上で受信された情報に基づいて、ＰＤＳＣＨ上で受信することが可能である（４１２）。
【００６２】
図５は、非ＣＥモードまたはＣＥモードにおいて使用するために構成されたＷＴＲＵに関するＳＩＢ獲得の別の例示的な方法５００の流れ図である。図５に示される例において、ＷＴＲＵが、それがいずれのモードにあるかを決定する（５０２）。例えば、ＷＴＲＵは、それがＣＥモードにあるか、非ＣＥモードにあるかなどを決定することが可能である。ＷＴＲＵがＣＥモードにあると決定されたという条件付きで（５０４）、ＷＴＲＵは、ダウンリンク制御チャネルをコンテナとして使用してＣＥシステム情報ブロック（ＣＥ−ＳＩＢ）を受信することが可能である（５０６）。実施形態において、ＷＴＲＵは、ＰＤＳＣＨを受信することなしにＣＥ−ＳＩＢを受信することが可能である。ＷＴＲＵが非ＣＥモードにあると決定されたという条件付きで（５０８）、ＷＴＲＵは、ＰＤＣＣＨを監視し（５１０）、ＳＩＢ（例えば、レガシーＳＩＢ、非ＣＥ  ＳＩＢ、または通常ＳＩＢ）を、物理ダウンリンク制御チャネル（ＰＤＣＣＨ）上で受信された情報に基づいて、ＰＤＳＣＨ上で受信することが可能である（５１２）。
【００６３】
ＣＥ  ＷＴＲＵは、例えば、ＣＥモードにあるＷＴＲＵ、カバレッジ限定されたＷＴＲＵ、またはカバレッジ拡張技法（例えば、制御チャネルおよび／またはデータチャネルなどの１または複数のチャネル（例えば、物理チャネル）のダウンリンク（ＤＬ）および／またはアップリンク（ＵＬ）における反復）を必要とするおよび／または使用するＷＴＲＵのうちの１または複数を含むことが可能である。
【００６４】
ＣＥモードで動作しているＷＴＲＵに関して、いくつかのＳＩＢは、ＷＴＲＵがＣＥモードで動作するのに不可欠である、または、有用であると識別されることが可能であり、ＷＴＲＵがそれらを確実に受信することを可能にする変更が望ましい可能性がある。実施形態において、ＣＥ−ＳＩＢメッセージが、ＣＥモードＷＴＲＵがいくつかの（例えば、不可欠な）ＳＩＢまたはＳＩを受信する（例えば、受信することに成功する、または、確実に受信する）ことができるようにするのに使用されることが可能である。実施形態において、ＣＥ  ＷＴＲＵは、例えば、それが所望する場合、非ＣＥ（例えば、レガシーまたは通常）ＳＩＢを受信しようと試みることを禁止されない。ＭＩＢに関して、ＰＢＣＨのさらなる反復が４０ミリ秒サイクル内に導入されて、ＣＥモードＷＴＲＵに関する受信の信頼性を向上させることが可能である。不可欠、重要、必要、望ましい、役立つ、および選択されたという用語は、本明細書において互換的に使用されることが可能である。
【００６５】
ＷＴＲＵは、あるときは、ＣＥモードで動作することが可能であり、別のときには、非ＣＥモードで動作することが可能である。ＷＴＲＵは、それが動作するモードを変化させることが可能であり、その動作モードにしたがってＳＩＢを獲得することおよび／または使用することが可能である。モードをＣＥモードまたは非ＣＥモードに変化させると、または、そうすることに続いて、ＷＴＲＵは、その更新された動作モードにしたがって、ＭＩＢおよび／または１または複数のＳＩＢを獲得することが可能である、または、獲得する必要がある可能性がある。
【００６６】
実施形態において、ＣＥ−ＳＩメッセージが、いくつかのＳＩＢ、例えば、不可欠なＳＩＢの伝送の信頼性を向上させるのに使用されることが可能である。ＣＥ−ＳＩメッセージは、ＣＥ動作モードに関して、例えば、不可欠であると識別されたＳＩＢのサブセットを含むことが可能であり、それらのＳＩＢが、ＣＥ  ＷＴＲＵに専用であること、または、少なくともＣＥ  ＷＴＲＵによってもしくは少なくともＣＥ  ＷＴＲＵのために使用されることが可能な１または複数のＣＥ−ＳＩメッセージの中で一緒にマージされることが可能である。例として、その１または複数のＣＥ−ＳＩメッセージに含められることが可能なＳＩＢのサブセットは、ＳＩＢ１乃至ＳＩＢ１６からのＳＩＢの１または複数を含むことが可能である。ＣＥ−ＳＩメッセージは、すべての非ＣＥモードまたは利用可能なＳＩＢのサブセットを含むことが可能なコンパクトＣＥ−ＳＩメッセージであることが可能である。ＣＥ−ＳＩメッセージは、１または複数の非ＣＥモードＳＩＢの一部であることが可能なＳＩを含むことが可能である（ＳＩＢを含むことが、ＳＩＢ全体を含むことは意味しない可能性がある）。ＳＩＢ、ＳＩ、およびＳＩメッセージという用語は、本明細書において互換的に使用されることが可能である。ＣＥ−ＳＩメッセージは、ＣＥモード、ＭＴＣ動作、あるいは低減された帯域幅で動作することなどの、ある能力に特有であることが可能なシステム情報を含むことが可能であり、または、そのようなシステム情報を含むことも可能である。
【００６７】
ＷＴＲＵは、ＣＥ−ＳＩメッセージを受信すべきか、または、非ＣＥ  ＳＩメッセージを受信すべきかを決定することが可能であり、その決定にしたがって対応するＳＩメッセージを受信すること、または、受信しようと試みることが可能である。例えば、ＷＴＲＵが、ＣＥ  ＰＢＣＨを受信して、ＭＩＢを得た場合、ＷＴＲＵは、ＣＥ−ＳＩメッセージを受信して、ＳＩＢを得ることを決定することが可能である。別の例に関して、ＷＴＲＵが、ＤＬ信号品質（例えば、参照信号受信電力（ＲＳＲＰ））が事前定義された閾値未満であると決定した場合、ＷＴＲＵは、ＣＥ−ＳＩメッセージを受信して、ＳＩＢを得ることを決定することが可能である。両方の例において、ＷＴＲＵは、さもなければ、非ＣＥ−ＳＩメッセージを介してＳＩＢを受信することを決定することが可能である。
【００６８】
ＣＥ  ＰＢＣＨは、非ＣＥ−ＰＢＣＨとは別個のＰＢＣＨであること、または、低減された能力および／またはＣＥモードＷＴＲＵをサポートするように使用されるまたは含められることが可能なビット（例えば、予備のビット）を有する非ＣＥ  ＰＢＣＨの変更されたバージョンであることが可能である。それらのビットは、ＭＩＢビットであることが可能である。ＣＥ  ＰＢＣＨは、非ＣＥ  ＰＢＣＨ、変更された非ＣＥ  ＰＢＣＨ、または新たなＰＢＣＨであることが可能であり、または、そのようなＰＢＣＨを含むことが可能であり、ここで、ＣＥ  ＰＢＣＨは、非ＣＥ  ＰＢＣＨより多くの反復で（例えば、１０ミリ秒ごとに２回以上）伝送されることが可能である。ＷＴＲＵが、新たなＰＢＣＨ、非ＣＥ  ＰＢＣＨ、または変更された非ＣＥ  ＰＢＣＨ（またはＭＩＢ）を受信することに成功するのにさらなる反復の１または複数を使用する、または、使用することを必要とする場合、ＷＴＲＵは、ＣＥ−ＳＩメッセージ（またはさらなるＣＥ−ＳＩメッセージ）を受信すること、または、受信しようと試みることを決定することが可能である。ＷＴＲＵが、非ＣＥ  ＰＢＣＨまたは変更された非ＣＥ  ＰＢＣＨ（またはＭＩＢ）を受信することに成功するのに（例えば、全く）さらなる反復を使用しないことが可能である、また、は使用する必要がないことが可能である場合、ＷＴＲＵは、非ＣＥ  ＳＩメッセージ（またはさらなるＣＥ−ＳＩメッセージ）を受信すること、または、受信しようと試みることを決定することが可能である。ＰＢＣＨは、１つのＭＩＢビットまたは複数のＭＩＢビットを搬送することが可能である。ＰＢＣＨおよびＭＩＢという用語は、本明細書において互換的に使用されることが可能である。
【００６９】
本明細書において説明されるいくつかの実施形態において、ＳＩＢおよび／またはＳＩメッセージは、ＰＢＣＨまたはＣＥ−ＰＢＣＨによって搬送されることが可能である、ＭＩＢを除外することが可能である。本明細書において説明される他のいくつかの実施形態において、ＳＩＢおよび／またはＳＩメッセージは、ＰＢＣＨまたはＣＥ−ＰＢＣＨによって搬送されることが可能である、ＭＩＢを含むことが可能である。
【００７０】
ＣＥ−ＳＩメッセージは、例えば、既存の手順と同様に、複数の反復を許すように符号化されることが可能である。ＣＥ−ＳＩメッセージ反復（例えば、許されたＣＥ−ＳＩメッセージ反復）の数は、非ＣＥ  ＳＩメッセージのために使用されることが可能な反復の数と比べて、増加されて、例えば、これらのメッセージを復号することができるようにＣＥ  ＷＴＲＵにさらなる時間および／またはさらなる情報を許すことが可能である。
【００７１】
ＳＩＢまたはＳＩのサブセットが、ＣＥのために使用されること、または、ＣＥに不可欠であると見なされることが可能であり、ＣＥ−ＳＩメッセージに含められることが可能である。例えば、一実施形態において、ＭＩＢ、ＳＩＢ１、および、ＳＩＢ２が、不可欠なＳＩＢと見なされることが可能である。ＣＥ  ＷＴＲＵは、例えば、規則的な（regular）事前定義されたＭＩＢロケーションにおいて、または、少なくともそのようなロケーションにおいて、ＭＩＢを読み取り、ＣＥ−ＳＩメッセージを使用して不可欠なＳＩＢ（例えば、ＳＩＢ１およびＳＩＢ２）などのいくつかのＳＩＢを読み取る（例えば、読み取ることだけをする）ことが可能であり、または、そのようにするように構成されることが可能である。別の例に関して、ＳＩＢ１、ＳＩＢ２、およびＳＩＢ１４が、不可欠なＳＩＢと見なされることが可能である。ＳＩＢ１、ＳＩＢ２、およびＳＩＢ１４は、ＣＥ−ＳＩメッセージの中で多重化されることが可能である。ＣＥ  ＷＴＲＵは、不可欠なＳＩＢとして、例えば、ＭＩＢ、ＳＩＢ１、ＳＩＢ２、およびＳＩＢ１４を読み取ってから、セルにアクセスすることを試みることが可能である、または、そのようにするように構成されることが可能である。ＣＥ−ＳＩは、ＳＩＢ１、ＳＩＢ２、およびＳＩＢ１４などの、非ＣＥ  ＳＩＢなどの１または複数のＳＩＢのコンテンツのうちのいくつかまたはすべてを含むことが可能である。
【００７２】
ＣＥ−ＳＩメッセージのコンテンツは、非ＣＥ  ＷＴＲＵのために伝送されるＳＩＢと同一であることも、異なることも可能である。同一のＳＩＢの異なるバージョンは、多重化されて非ＣＥ  ＳＩメッセージおよびＣＥ−ＳＩメッセージに入れられることが可能である。例えば、ＣＥ  ＷＴＲＵのために役立つと見なされない可能性があるいくつかの情報要素（ＩＥ）が、除去されてから、ＳＩＢを多重化してＣＥ−ＳＩメッセージに入れることが可能である。
【００７３】
ＣＥモードで動作しているＷＴＲＵが、１または複数のＣＥ−ＳＩメッセージを受信することが可能であり、または、受信するように構成されることが可能であり、ＣＥ−ＳＩメッセージを使用して（例えば、だけを使用して）（例えば、呼に関する）いくつかのＳＩＢもしくはＳＩ、または、すべてのＳＩＢもしくはＳＩを得ることが可能である。ＣＥ  ＷＴＲＵに不可欠であると見なされるＳＩＢは、セルにおいて伝送されているＣＥ  ＳＩメッセージの中で多重化されたＳＩＢから暗黙に導き出されることが可能である。ＷＴＲＵは、ＣＥ  ＳＩメッセージ内でスケジューリングされたすべてのＳＩＢを、それがセルにアクセスすることができる前に獲得されなければならない最低限のＳＩＢであると見なすことが可能である。
【００７４】
代替として、ＣＥ  ＷＴＲＵは、ＣＥ−ＳＩメッセージを使用していくつかのＳＩＢ情報を受信する（例えば、受信だけする）ことが可能であり、または、受信する（例えば、受信だけする）ように構成されることが可能である。ＣＥ  ＷＴＲＵは、非ＣＥ−ＳＩメッセージを使用して他のＳＩＢを受信すること、または、受信するように構成されることが可能である。例えば、セルは、非ＣＥ  ＳＩメッセージを使用して、増加された数の反復で、より低い周期性要件を有するいくつかのＳＩＢを伝送するように構成されることが可能であり、ＷＴＲＵは、それらを非ＣＥ  ＳＩメッセージ上で受信することが可能である、または、受信するように構成されることが可能である。
【００７５】
ＣＥ−ＳＩメッセージは、ＣＥ−ＳＩウインドウで伝送されることが可能である。例えば、ＣＥ−ＳＩメッセージが、ＣＥ−ＳＩウインドウに関連付けられることが可能であり、ここで、ＣＥ−ＳＩウインドウは、ある量の時間と定義されることが可能である。実施形態において、ＣＥ−ＳＩウインドウは、時間領域において多重化されることが可能である。ＣＥ  ＷＴＲＵが、ＣＥ−ＳＩウインドウに基づいて、いずれのＣＥ−ＳＩメッセージが、あるサブフレームおよび／またはあるフレームにおいて受信されるかを決定することが可能である。別の実施形態において、ＣＥ−ＳＩウインドウは、時間および周波数領域において多重化されることが可能である。例えば、ＣＥ−ＳＩウインドウは、時間および周波数ロケーションとして定義されることが可能である。複数のＣＥ−ＳＩウインドウが、時間領域において重ね合わされることが可能である。ＣＥ  ＷＴＲＵは、ＣＥ−ＳＩメッセージの周波数ロケーションに基づいて、ＣＥ−ＳＩメッセージを区別することが可能である。別の実施形態において、ＣＥ−ＳＩメッセージは、関連付けられたＰＤＣＣＨまたはＥＰＤＣＣＨによってスケジューリングされることが可能であり、関連付けられたＰＤＣＣＨまたはＥＰＤＣＣＨは、いずれのＣＥ−ＳＩメッセージがスケジューリングされているかを示すことが可能である。例えば、ＣＥ−ＳＩメッセージが、ＣＥ−ＳＩ−ＲＮＴＩ−１、ＣＥ−ＳＩ−ＲＮＴＩ−２などの、あるＳＩ−ＲＮＴＩに関連付けられることが可能である。さらなる例において、ＣＥ−ＳＩメッセージ１、ＣＥ−ＳＩメッセージ２、およびＣＥ−ＳＩメッセージ３などの３つのＣＥ−ＳＩメッセージが定義される場合、各ＣＥ−ＳＩメッセージは、ＣＥ−ＳＩ−ＲＮＴＩ−１、ＣＥ−ＳＩ−ＲＮＴＩ−２、およびＣＥ−ＳＩ−ＲＮＴＩ−３に関連付けられることが可能である。
【００７６】
ＣＥ  ＷＴＲＵは、ＷＴＲＵ条件またはＷＴＲＵ能力に基づいて、いくつかのＳＩＢを獲得すべきかどうか、または、それが獲得する必要があるかどうかを決定することが可能である。例えば、ＣＥ  ＷＴＲＵは、それが、ＲＡＴ間動作をサポートすることができる場合、ＲＡＴ間動作と関係するＳＩＢ、例えば、ＳＩＢ７および／または８を獲得することが可能である、または、獲得することだけをすることが可能である。別の例として、ＣＥ  ＷＴＲＵは、それが（マルチメディアブロードキャストマルチキャストサービス（ＭＢＭＳ））動作をサポートする場合、ＭＢＭＳ関連のＳＩＢ、例えば、ＳＩＢ１３および／または１５を獲得することだけをすることが可能である。ＳＩＢ７および８は、同一のＣＥ−ＳＩメッセージにマッピングされることが可能である。ＳＩＢ１３および１５は、ＳＩＢ７および８を包含するＣＥ−ＳＩメッセージとは異なることが可能である、同一のＣＥ−ＳＩメッセージにマッピングされることが可能である。別の例において、ＣＥ  ＷＴＲＵは、それがモビリティまたはハンドオーバをサポートする場合、モビリティまたはハンドオーバと関係するＳＩＢを獲得することが可能である、または、獲得することだけすることが可能である。
【００７７】
実施形態において、ＣＥ  ＷＴＲＵアクセス層（ＡＳ）が、例えば、セル選択の前に提供されることが可能なパブリックランドモバイルネットワーク（public land mobile network）（ＰＬＭＮ）情報と一緒に、より上位のレイヤによって構成されることが可能である。代替として、この情報は、ＷＴＲＵにおいて事前構成されることが可能であり、ＷＴＲＵの電源がオンにされると、ＡＳに提供されることが可能である。別の実施形態において、ＣＥ  ＷＴＲＵ  ＡＳは、ＷＴＲＵによってサポートされる機能を有して構成されることが可能である。ＣＥ  ＷＴＲＵ  ＡＳは、ＷＴＲＵがいずれのＳＩＢを獲得することが可能であるか、または、獲得すべきかを決定する事前構成されたマッピングを有することが可能である。例えば、ホームｅＮＢ（ＨｅＮＢ）に関するサポートが所望される場合、ＣＥ  ＷＴＲＵ  ＡＳは、ＷＴＲＵが獲得することが可能な、または、獲得する必要がある可能性があるＳＩＢのリストにＨｅＮＢ関連のＳＩＢ、例えば、ＳＩＢ９を含めることが可能である。
【００７８】
ＣＥ  ＷＴＲＵが、いずれのＳＩＢをそれが獲得することが可能であるか、または、獲得する必要がある可能性があるかを決定すると、または、決定した後、それは、これらのＳＩＢがどのように獲得されることが可能であるかを決定することが可能である。実施形態において、ＣＥ  ＷＴＲＵは、例えば、ＣＥ−ＳＩスケジューリング情報および／またはＣＥメッセージのうちのいくつか（例えば、すべて）を最初に調べて、ＣＥ  ＳＩまたはＣＥメッセージが、それが必要とするすべてのＳＩＢを包含するかどうかを決定することが可能である。いくつかのＳＩＢが利用可能ではない場合、ＷＴＲＵは、それらを、非ＣＥ  ＳＩメッセージを使用して獲得しようと試みることが可能である。代替として、ＷＴＲＵは、ＣＥ  ＳＩメッセージの中で利用可能であるＳＩＢを獲得すること、または、獲得することだけをすることが可能であり、いくつかのＳＩＢが利用可能でない場合、ＷＴＲＵは、より上位のレイヤに、サポートされ得ない機能を報告することが可能である。
【００７９】
ＣＥ−ＳＩメッセージ伝送および受信が、サポートされることが可能である。
【００８０】
ＷＴＲＵがＣＥ−ＳＩＢを受信することを始める前に、ＷＴＲＵは、セルがＣＥ−ＳＩメッセージおよび／またはＣＥモードをサポートするかどうかを決定することが可能である。実施形態において、ＷＴＲＵは、ＰＢＣＨ受信中にもしくはＰＢＣＨ受信に基づいて、または、ＰＢＣＨ受信手順中に、セルにおけるＣＥ−ＳＩメッセージ伝送および／またはＣＥモードに関するサポートを検出することが可能である。カバレッジ拡張されたＰＢＣＨが、カバレッジ拡張された動作モードのために定義されることが可能である。カバレッジ拡張されたＰＢＣＨ（ＣＥ−ＰＢＣＨ）は、各無線フレームにおけるサブフレーム（例えば、サブフレーム０）において伝送されることが可能な、少なくとも非ＣＥ  ＰＢＣＨの反復的伝送であることが可能である。ＣＥ−ＰＢＣＨは、ある１または複数の無線フレームにおける、または、すべての無線フレームにおける少なくともサブフレーム５においてなど、１または複数のサブフレームにおける非ＣＥ  ＰＢＣＨの反復を有すること、または、含むことが可能である。
【００８１】
実施形態において、ＷＴＲＵは、ダウンリンクチャネル品質（例えば、ＲＳＲＰ）を測定することが可能であり、または、最初に測定することが可能であり、ダウンリンクチャネル品質が事前定義された閾値より低い場合、ＷＴＲＵは、ＣＥ−ＰＢＣＨを受信することを始めることが可能である。ＷＴＲＵが、ＣＥ−ＰＢＣＨを介して搬送されるＭＩＢを復号することに成功した場合、ＷＴＲＵは、ＣＥ−ＳＩメッセージ伝送および／またはＣＥモードがセルにおいてサポートされるものと想定することが可能である。ＷＴＲＵは、複数のサブフレームにおいて伝送されたＰＢＣＨ、例えば、サブフレーム０において伝送されたＰＢＣＨと、サブフレーム５などの１または複数のサブフレームにおいて伝送されたＰＢＣＨ反復を互いに関係付けようと試みることが可能である。相互関係レベルが事前定義された閾値より高い場合、ＷＴＲＵは、ＣＥ−ＳＩメッセージ伝送がセルにおいてサポートされるものと想定することが可能である。
【００８２】
別の実施形態において、ＷＴＲＵは、非ＣＥ  ＰＢＣＨ時間／周波数ロケーション（例えば、サブフレーム０）において伝送されたＰＢＣＨと、ＣＥ−ＰＢＣＨのために使用される、ある無線フレームにおける他の時間／周波数ロケーション（例えば、サブフレーム５）において伝送されるＰＢＣＨ反復を互いに関係付けることによって、ＣＥ−ＰＢＣＨがセルにおいてサポートされるかどうかを調べようと試みることが可能である。相互関係レベルが事前定義された閾値より高い場合、ＷＴＲＵは、ＣＥ−ＰＢＣＨおよびＣＥ−ＳＩメッセージ伝送がセルにおいてサポートされると想定することが可能である。
【００８３】
別の実施形態において、ＣＥ−ＰＢＣＨおよびＣＥ−ＳＩメッセージ伝送をサポートするセルＩＤリストが、ＷＴＲＵが、同期後に物理セルＩＤを検出した後、セルがＣＥモードをサポートするかどうかについて知らされることが可能であるように、ＷＴＲＵに提供されることが可能である。
【００８４】
別の実施形態において、ＰＢＣＨまたはＣＥ−ＰＢＣＨを介して搬送されることが可能なＭＩＢは、ＣＥモード（またはＣＥ−ＰＢＣＨ）がセルにおいてサポートされるかどうかを暗黙にまたは明示的に示すことが可能である。ＭＩＢにおける、または、ＭＩＢにおいて確保されたビットが、ＣＥモードに関するサポートを示すのに使用されることが可能であり、および／または、事前定義されたＣＲＣマスキングが、ＣＥモードに関するサポートを示すのに使用されることが可能である。ＷＴＲＵは、ＭＩＢにおけるそのビットのプレゼンスもしくは値に基づいて、または、ＣＲＣマスキングに基づいて、ＣＥモードがセルにおいてサポートされるかどうかを決定することが可能である。ＣＥモードにあることが可能なＷＴＲＵが、セルがＣＥモードをサポートすると決定した場合、ＷＴＲＵは、ＣＥ−ＳＩＢまたはＣＥ−ＳＩメッセージを受信すること、または、受信しようと試みることが可能である。
【００８５】
ＷＴＲＵが、両方のタイプのＳＩＢをサポートするセルにおいてＣＥ−ＳＩＢまたは非ＣＥ−ＳＩＢを受信するために、ＷＴＲＵは、セルにおいてブロードキャストされている異なるタイプのＳＩＢの間で区別することができる必要がある可能性がある。実施形態において、ＷＴＲＵは、チャネル条件に基づいて、ＳＩ受信のために、あるタイプのＳＩメッセージを受信しようと試みることが可能である。例えば、ＷＴＲＵは、ダウンリンクチャネル品質（例えば、ＲＳＲＰまたはパスロス）を測定することまたは決定することが可能であり、測定されたまたは決定されたダウンリンクチャネル品質が閾値より低い場合、ＷＴＲＵは、ＣＥ−ＳＩメッセージタイプを受信することが可能であり、または、受信することを決定することが可能である。その閾値は、ダウンリンクシステム帯域幅、ＣＲＳポートの番号、および／またはＳＦＮ番号のうちの少なくとも１つの関数として事前定義されること、または、決定されることが可能である。その閾値は、接続モードとアイドルモードで異なることが可能である（例えば、より高い閾値が、ＲＲＣ＿ＣＯＮＮＥＣＴＥＤにおいて使用されることが可能であり、より低い閾値が、ＲＲＣ＿ＩＤＬＥにおいて使用されることが可能である）。
【００８６】
別の実施形態において、ＷＴＲＵは、事前定義された規則に基づいて、あるタイプのＳＩメッセージを受信しようと試みることが可能である。例えば、ＷＴＲＵは、非ＣＥ  ＳＩメッセージを復号しようと試みることが可能であり、ＷＴＲＵが、ある数の復号試行または事前定義された時間ウインドウの内に成功しない場合、ＷＴＲＵは、ＣＥ−ＳＩメッセージを受信することを始めることが可能である。別の例に関して、ＷＴＲＵがＲＲＣ＿ＩＤＬＥにある場合、ＷＴＲＵは、ＲＲＣ＿ＩＤＬＥモードに入ることに先立って受信されたＳＩメッセージタイプに基づいて、あるＳＩメッセージタイプを受信することを始めることが可能である。以下の規則のうちの１または複数が適用することが可能である。すなわち、セルＩＤが、ＷＴＲＵがＲＲＣ＿ＩＤＬＥに入ったのより前のセルＩＤと同一である場合、ＷＴＲＵは、それがＲＲＣ＿ＩＤＬＥに入ったのより前に受信されたＳＩメッセージタイプから始めることが可能であり、セルＩＤが、ＷＴＲＵがＲＲＣ＿ＩＤＬＥに入ったのより前のセルＩＤと異なる場合、ＷＴＲＵは、非ＣＥ  ＳＩメッセージを受信することを始めることが可能であり、セルＩＤが、ＷＴＲＵがＲＲＣ＿ＩＤＬＥに入ったのより前のセルＩＤと異なる場合、ＷＴＲＵは、ダウンリンクチャネル品質に基づいて、受信すべきＳＩメッセージタイプを決定することが可能であり、セルＩＤが、ＷＴＲＵがＲＲＣ＿ＩＤＬＥに入ったのより前のセルＩＤと異なる場合、ＷＴＲＵは、ＷＴＲＵがＭＩＢを受信したＰＢＣＨのタイプ（例えば、ＣＥ−ＰＢＣＨまたは非ＣＥ−ＰＢＣＨ）に基づいて、受信すべきＳＩメッセージタイプを決定することが可能である。例えば、ＷＴＲＵが、非ＣＥ−ＰＢＣＨを介してＭＩＢを受信した場合、ＷＴＲＵは、非ＣＥ  ＳＩメッセージを受信することを始めることが可能であり、ＷＴＲＵは、ＷＴＲＵが、ＣＥ−ＰＢＣＨを介してＭＩＢを受信した場合、ＣＥ−ＳＩメッセージを受信することを始めることが可能である。セルＩＤは、セルの物理セルＩＤであることが可能である。
【００８７】
別の例において、ＷＴＲＵがＲＲＣ＿ＣＯＮＮＥＣＴＥＤにある場合、ＷＴＲＵは、ＷＴＲＵが受信した以前のＳＩメッセージタイプに基づいて、ＳＩメッセージタイプを決定することが可能である。
【００８８】
別の実施形態において、ＷＴＲＵは、物理チャネルのチャネル受信品質に基づいて、あるタイプのＳＩメッセージを受信しようと試みることが可能である。例えば、ＷＴＲＵが、非ＣＥ  ＰＢＣＨを介してＭＩＢを受信した場合、ＷＴＲＵは、非ＣＥ  ＳＩメッセージを受信することを始めることが可能であり、ＷＴＲＵが、ＣＥ−ＰＢＣＨを介してＭＩＢを受信した場合、ＷＴＲＵは、ＣＥ−ＳＩメッセージを受信することを始めることが可能である。別の例に関して、ＷＴＲＵが、ある数の復号試行でＣＥ−ＰＢＣＨを介してＭＩＢを受信し、かつ、復号試行の数が事前定義された閾値を超えている場合、ＷＴＲＵは、ＣＥ−ＳＩメッセージを受信することを始めることが可能であり、さもなければ、ＷＴＲＵは、非ＣＥ  ＳＩメッセージを受信することを始めることが可能である。別の例に関して、ＷＴＲＵが、時間ウインドウにわたって同期信号からセルＩＤを検出した場合、かつ、その時間ウインドウが、事前定義された閾値より長い場合、ＷＴＲＵは、ＣＥ−ＳＩメッセージを受信することを開始することが可能である。
【００８９】
別の実施形態において、ＷＴＲＵがＲＲＣ＿ＣＯＮＮＥＣＴＥＤにある場合、ＷＴＲＵは、ＰＤＣＣＨ、強化されたＰＤＣＣＨ（ＥＰＤＣＣＨ）、および／またはＰＤＳＣＨのＣＥレベル（または反復の数）に基づいて、ＳＩメッセージタイプを決定することが可能である。ＰＤＣＣＨまたはＥＰＤＣＣＨのＣＥレベル（または反復の数）が、事前定義された数より高い場合、ＷＴＲＵは、ＣＥ−ＳＩメッセージ受信を使用すること、または、使用することを決定することが可能である。代替として、ＷＴＲＵによって受信された最新のＰＤＣＣＨまたはＥＰＤＣＣＨの合計集約レベル（集約レベル×反復）が、事前定義された閾値より大きい場合、ＷＴＲＵは、ＣＥ−ＳＩメッセージ受信を使用すること、または、使用することを決定することが可能である。ＰＤＳＣＨの反復の数が、事前定義された数より大きい場合、ＷＴＲＵは、ＣＥ−ＳＩメッセージ受信を使用すること、または、使用することを決定することが可能である。
【００９０】
ＷＴＲＵがＲＲＣ＿ＩＤＬＥにある場合、ＷＴＲＵは、ＰＢＣＨまたは同期チャネルのチャネル品質に基づいて、ＳＩメッセージタイプを決定することが可能である。
【００９１】
ＣＥ−ＳＩメッセージは、制御チャネルを介して送信されること、および／または、受信されることが可能である。ＣＥ−ＳＩメッセージは、ＭＢＳＦＮサブフレームにおいて送信されること、および／または、受信されることが可能である。
【００９２】
実施形態において、ＣＥ−ＳＩメッセージは、ＰＤＳＣＨなしにダウンリンク制御チャネルを介して伝送されることが可能である。制御チャネル（例えば、ＰＤＣＣＨまたはＥＰＤＣＣＨ）は、１または複数のＣＥ−ＳＩメッセージを搬送するのに使用されることが可能であり、制御チャネルは、例えば、カバレッジ拡張のために反復で伝送されることが可能である。
【００９３】
ＣＥ−ＳＩメッセージは、複数のサブブロックに分割されることが可能であり、サブブロックのそれぞれは、ＤＣＩフォーマット（例えば、ＤＣＩフォーマット１ＣまたはＤＣＩフォーマット１Ａ）に対応することが可能である、あるペイロードサイズを超えないことが可能である。ＤＣＩフォーマットに対応することが可能なペイロードサイズは、システム帯域幅（またはダウンリンクにおけるＰＲＢの合計数）の関数として定義されることが可能である。代替として、ペイロードサイズは、システム帯域幅にかかわらず固定された数であることが可能である。２つ以上のサブブロックは、ＰＤＣＣＨまたはＥＰＤＣＣＨを介して複数のサブフレームにわたって伝送されることが可能である。
【００９４】
実施形態において、ＣＥ−ＳＩメッセージのための２つ以上のサブブロックが、ＰＤＣＣＨまたはＥＰＤＣＣＨを介して複数のサブフレームにわたって伝送されることが可能であり、ここで、それらのサブブロックは、順次に伝送されることが可能である。例えば、３つのサブブロックが、ＣＥ−ＳＩメッセージのために構成される場合、第１のサブブロックは、第１の時間ウインドウ内で伝送されることが可能であり、第２のサブブロックは、第２の時間ウインドウ内で伝送されることが可能であり、ここで、その２つの時間ウインドウは、重ね合わされていないことが可能であり、第２の時間ウインドウは、第１の時間ウインドウより後に位置付けられることが可能である。これらのウインドウは、重ね合わされていないことが可能であり、第３のサブブロックによって後続されることが可能である。ＷＴＲＵが、それらのサブブロックのうちの１つを逸した場合、それは、変更期間内にその逸せられたサブブロックを受信しようと試みることが可能である。
【００９５】
２つ以上のサブブロックが、ＰＤＣＣＨまたはＥＰＤＣＣＨを介して複数のサブフレームにわたって伝送される別の例において、サブブロックは、並行に伝送されることが可能である。例えば、３つのサブブロックがＣＥ−ＳＩメッセージのために構成される場合、各サブブロックは、ＰＤＣＣＨまたはＥＰＤＣＣＨに対応して搬送されることが可能であり、このため、３つのサブブロックを搬送するのに３つのＰＤＣＣＨまたはＥＰＤＣＣＨを要求する。サブブロックを搬送する各ＰＤＣＣＨまたは各ＥＰＤＣＣＨは、その独自の識別子（例えば、ＩＤ、スクランブリングＩＤ、およびＲＮＴＩのうちの１または複数）でスクランブルされることが可能である。例えば、ＳＩ−ＲＮＴＩ−１、ＳＩ−ＲＮＴＩ−２、およびＳＩ−ＲＮＴＩ−３などの３つの識別子が定義されることが可能であり、サブブロックを搬送する各ＰＤＣＣＨまたは各ＥＰＤＣＣＨの巡回冗長検査（ＣＲＣ）は、対応するＲＮＴＩでスクランブルされることが可能である。
【００９６】
サブブロックを搬送するＰＤＣＣＨまたはＥＰＤＣＣＨの開始サブフレームは、サブフレームおよび／または無線フレームのサブセットであることが可能である。例えば、サブブロックを搬送するＰＤＣＣＨまたはＥＰＤＣＣＨは、反復して伝送されることが可能であり、開始サブフレームは、奇数の無線フレームごとにあるサブフレーム１であることが可能である。別の例において、開始サブフレームは、サブブロックにしたがって異なることが可能である。
【００９７】
ＣＥ−ＳＩメッセージは、可能な限り均等に分割されて、複数のサブブロックに入れられることが可能であり、サブブロックの数は、ＣＥ−ＳＩメッセージサイズおよびペイロードサイズの関数として定義されることが可能である。例えば、ペイロードサイズがＮPであり、ＣＥ−ＳＩメッセージサイズがＮSIである場合、サブブロックの数は、［ＮSI／ＮP］であることが可能である。
【００９８】
別の実施形態において、ＣＥ−ＳＩメッセージは、事前定義された集約レベルおよび事前定義された反復レベルで制御チャネルを介して伝送されることが可能である。ＷＴＲＵは、各サブフレームにおけるＰＤＣＣＨのために使用されるＯＦＤＭシンボルの数は、ＷＴＲＵが、ＰＤＣＣＨを介してＣＥ−ＳＩメッセージを受信する場合、事前定義された数に固定されることが可能であるものと想定することが可能である。ＷＴＲＵは、ＥＰＤＣＣＨに関する開始ＯＦＤＭシンボルは、ＷＴＲＵが、ＥＰＤＣＣＨを介してＣＥ−ＳＩメッセージを受信する場合、事前定義された数に固定されることが可能であるものと想定することが可能である。ＥＰＤＣＣＨのために利用可能なリソースは、ＣＳＩ−ＲＳ構成なしに計算されることが可能である。ＷＴＲＵは、ＷＴＲＵが、ＥＰＤＣＣＨを介してＣＥ−ＳＩメッセージを受信する場合、サブフレームにおけるＣＳＩ−ＲＳ構成は存在しないものと想定することが可能である。
【００９９】
完全なまたは部分的なＣＥ−ＳＩメッセージを搬送するＰＤＣＣＨまたはＥＰＤＣＣＨは、ＰＤＣＣＨ共通探索空間またはＥＰＤＣＣＨ共通探索空間において伝送されることが可能である。事前定義された集約レベルが使用されることが可能であり、事前定義された集約レベルは、最大集約レベル、例えば、ＰＤＣＣＨにおいて８、およびＥＰＤＣＣＨにおいて１６を超えないことが可能である。反復の数は、固定された数として、あるいは、ＣＥ−ＳＩメッセージサイズ、システム帯域幅、集約レベル、および／または、ＣＲＳポートの番号のうちの少なくとも１つの関数として事前定義されることが可能である。
【０１００】
完全なまたは部分的なＣＥ−ＳＩメッセージを搬送するＰＤＣＣＨまたはＥＰＤＣＣＨは、サブフレームのサブセットにおいて伝送されることが可能である。サブフレームのサブセットは、ＷＴＲＵが、サブフレームのサブセット内の受信された信号を統合することが可能であるように連続的であることが可能である。サブフレームのサブセットは、ＣＥ−ＳＩメッセージウインドウと呼ばれることが可能である。サブフレームのサブセットは、時間領域において分散されることが可能である。例えば、サブフレーム｛０，４，５，９｝のうちの１または複数が、完全なまたは部分的なＣＥ−ＳＩメッセージを搬送するＰＤＣＣＨまたはＥＰＤＣＣＨを伝送するのに使用されることが可能である。
【０１０１】
別の実施形態において、１または複数のＣＥ−ＳＩメッセージが、合計システム情報サイズにしたがって定義される、または、構成されることが可能である。例えば、合計システム情報サイズが、事前定義された閾値より大きい場合、システム情報は、２つ以上のＣＥ−ＳＩメッセージに分割されることが可能であり、各ＣＥ−ＳＩメッセージは、制御チャネルを介して搬送されることが可能である。
【０１０２】
１または複数のＣＥ−ＳＩメッセージが合計システム情報サイズにしたがって定義されること、または、構成されることが可能な実施形態において、ＣＥ−ＳＩメッセージは、ＰＤＣＣＨまたはＥＰＤＣＣＨを介して搬送されることが可能である。ここで、ＰＤＣＣＨまたはＥＰＤＣＣＨの合計集約レベル（ＴＡＬ；ＮTAL＝ＮAL×ＮR）は、集約レベル（ＮAL）と反復の数（ＮR）の掛け算として定義されることが可能である。ＣＥ−ＳＩメッセージのためのＰＤＣＣＨまたはＥＰＤＣＣＨのＴＡＬは、ＣＥ−ＳＩメッセージサイズ、システム帯域幅、および／またはＭＢＳＦＮサブフレーム構成のうちの少なくとも１つの関数として定義されることが可能である。したがって、２つ以上のＣＥ−ＳＩメッセージが、異なるＮTALで搬送されることが可能である。
【０１０３】
１または複数のＣＥ−ＳＩメッセージが合計システム情報サイズにしたがって定義されること、または、構成されることが可能な実施形態において、２つ以上のＣＥ−ＳＩメッセージが伝送される場合、各ＣＥ−ＳＩメッセージは、異なるＳＩ−ＲＮＴＩで伝送されることが可能である。例えば、２つのＣＥ−ＳＩメッセージが構成される、または、定義される場合、２つのＳＩ−ＲＮＴＩが、ＳＩ−ＲＮＴＩ−１およびＳＩ−ＲＮＴＩ−２として定義されることが可能である。その２つ以上のＣＥ−ＳＩメッセージは、同一のサブフレームにおいて伝送されることが可能である。したがって、ＷＴＲＵは、ＳＩ−ＲＮＴＩに基づいて２つ以上のＣＥ−ＳＩメッセージを区別することが可能である。その２つ以上のＣＥ−ＳＩメッセージは、重ね合わされていないサブフレームにおいて伝送されることが可能である。
【０１０４】
別の実施形態において、２つ以上のＣＥ−ＳＩメッセージが定義されることが可能である。ＭＢＳＦＮサブフレーム構成を包含するＣＥ−ＳＩメッセージが、ＰＤＣＣＨまたはＥＰＤＣＣＨを介して伝送されることが可能である。他のＣＥ−ＳＩメッセージが、非ＭＢＳＦＮサブフレームにおいてＰＤＳＣＨを介して伝送されることが可能である。（ＭＢＳＦＮサブフレーム構成を含むことが可能な）ＳＩＢ２を包含するＣＥ−ＳＩメッセージが、ＰＤＣＣＨまたはＥＰＤＣＣＨを介して伝送されることが可能である。ＰＤＣＣＨまたはＥＰＤＣＣＨを介して伝送されることが可能なものなどのＣＥ−ＳＩメッセージが、非ＭＢＳＦＮサブフレームとＭＢＳＦＮサブフレームの両方において伝送されることが可能である。ＳＩＢ１および／またはＳＩＢ２などのいくつかのＳＩＢを包含するＣＥ−ＳＩメッセージが、例えば、最初に伝送されることが可能であり、ＰＤＣＣＨまたはＥＰＤＣＣＨを介して搬送されることが可能である。他のＳＩＢを包含することが可能である他のＣＥ−ＳＩメッセージが、関連付けられたＰＤＣＣＨまたは関連付けられたＥＰＤＣＣＨととともに、あるいは、関連付けられたＰＤＣＣＨも関連付けられたＥＰＤＣＣＨも伴わずにＰＤＳＣＨ領域において伝送されることが可能である。ＣＥ−ＳＩメッセージが、例えば、ｍｂｓｆｎ−ＳｕｂｆｒａｍｅＣｏｎｆｉｇＬｉｓｔのためだけに定義されることが可能であり、ＣＥ−ＳＩメッセージが、ＰＤＣＣＨまたはＥＰＤＣＣＨを使用して伝送されることが可能である。ｍｂｓｆｎ−ＳｕｂｆｒａｍｅＣｏｎｆｉｇＬｉｓｔのためのＣＥ−ＳＩメッセージが最初に伝送されることが可能であり、その他のＣＥ−ＳＩメッセージが後に続くことが可能である。その他のＣＥ−ＳＩメッセージは、関連付けられたＰＤＣＣＨまたは関連付けられたＥＰＤＣＣＨととともに、あるいは関連付けられたＰＤＣＣＨも関連付けられたＥＰＤＣＣＨも伴わずにＰＤＳＣＨ領域において伝送されることが可能である。
【０１０５】
ＭＢＳＦＮサブフレームの構成は、ＳＩメッセージもしくはＣＥ  ＳＩメッセージにおいて提供されること、または、ＳＩメッセージもしくはＣＥ  ＳＩメッセージに含められることが可能である。ＷＴＲＵがＭＢＳＦＮサブフレーム構成を受信するまで、ＷＴＲＵは、ＭＢＳＦＮサブフレームのために使用されない（または決して使用されない）、もしくは、ＭＢＳＦＮサブフレームであることが許されない（または決して許されない）可能性があるサブフレームの場合を除いて、いずれのサブフレームが非ＭＢＳＦＮサブフレームであることが可能であるかを確かには知らない可能性がある。
【０１０６】
実施形態において、ＣＥ−ＳＩメッセージは、非ＭＢＳＦＮサブフレームにおいて伝送されることが可能であり、または、そうされることだけが可能である。ＣＥモードにおけるＷＴＲＵは、ＣＥ−ＳＩメッセージが非ＭＢＳＦＮサブフレームまたは非ＭＢＳＦＮサブフレーム候補において伝送されることが可能である、または、そうされることだけが可能であるものと想定することが可能である。例えば、ＦＤＤにおけるサブフレーム０、４、５、および９が、ＭＢＳＦＮサブフレーム構成のために使用されないことが可能であり、したがって、ＣＥ−ＳＩメッセージは、ＣＥ−ＳＩメッセージ伝送のために使用される無線フレームにおけるサブフレーム０、４、５、および９のうちの１または複数において伝送されることが可能である。１つのＣＥ−ＳＩメッセージが存在する場合、メッセージは、常に非ＭＢＳＦＮサブフレームであることも、そうでないことも可能な（例えば、ＭＢＳＦＮサブフレームを識別することが可能なＭＢＳＦＮサブフレーム構成は、ＣＥ−ＳＩメッセージに含められることが可能であるので）サブフレームのうちの１または複数において伝送されることが可能である。
【０１０７】
別の実施形態において、２つ以上のＣＥ−ＳＩメッセージが定義されること、または、構成されることが可能である。ＭＢＳＦＮサブフレーム構成を包含することが可能である少なくとも１つのＣＥ−ＳＩメッセージ（例えば、第１のＣＥ−ＳＩメッセージ）が、非ＭＢＳＦＮサブフレーム、または、非ＭＢＳＦＮサブフレームであることがアプリオリ（a priori）に知られていることが可能なサブフレーム、例えば、ＦＤＤのためのサブフレーム０、４、５、および９において伝送されることが可能である。その他のＣＥ−ＳＩメッセージ（例えば、後続のＣＥ−ＳＩメッセージ）は、ＭＢＳＦＮサブフレームとして構成されない可能性がある、および／または、ＰＭＣＨ伝送のために使用されない可能性があるサブフレームにおいて伝送されることが可能である。ＭＢＳＦＮサブフレーム構成（例えば、ｍｂｓｆｎ−ＳｕｂｆｒａｍｅＣｏｎｆｉｇＬｉｓｔ）を包含するＣＥ−ＳＩメッセージは、いずれのサブフレームがＭＢＳＦＮサブフレームとして構成されることが可能であるか、および／または、いずれがＰＭＣＨ伝送のために使用されることが可能であるかを識別することが可能である。
【０１０８】
ＭＢＳＦＮサブフレーム構成を包含するＣＥ−ＳＩメッセージは、潜在的なＭＢＳＦＮサブフレーム（ＦＤＤのためのサブフレーム０、４、５、および９以外のサブフレーム）において伝送されないことが可能である。ＭＢＳＦＮサブフレーム構成を包含しないＣＥ−ＳＩメッセージは、ＭＢＳＦＮサブフレームとして構成されていないサブフレームにおいて伝送されることが可能である。ＣＥ−ＳＩメッセージの反復のために利用可能なサブフレームは、別のＣＥ−ＳＩメッセージに包含される情報（例えば、ｍｂｓｆｎ−ＳｕｂｆｒａｍｅＣｏｎｆｉｇＬｉｓｔ）の関数として決定されることが可能である。
【０１０９】
２つ以上のＣＥ−ＳＩメッセージが定義されるまたは構成される実施形態において、ＭＢＳＦＮサブフレーム構成、例えば、ｍｂｓｆｎ−ＳｕｂｆｒａｍｅＣｏｎｆｉｇＬｉｓｔを包含するＣＥ−ＳＩメッセージは、サブフレーム０、４、５、および９などの、いくつかのサブフレームにおいて伝送されることが可能である、または、伝送されることだけが可能である。例において、ＭＢＳＦＮサブフレーム構成を包含するＣＥ−ＳＩメッセージが、事前定義されたまたは構成された反復ウインドウにおいて反復して伝送される場合、ＣＥ−ＳＩメッセージは、非ＣＥ  ＳＩＢ−１（例えば、偶数番号の付けられた無線フレームにおけるサブフレーム５）、サブフレーム｛１，２，３，６，７，８｝、および時間領域複信（ＴＤＤ）アップリンクサブフレームを含むサブフレームを除いて、反復ウインドウ内のサブフレームにおいて反復的に伝送されることが可能である。別の例に関して、ＭＢＳＦＮサブフレーム構成を包含しないＣＥ−ＳＩメッセージが、事前定義された反復ウインドウにおいて反復して伝送される場合、ＣＥ−ＳＩメッセージは、サブフレームＳＩＢ１、ＭＢＳＦＮサブフレーム、およびＴＤＤアップリンクサブフレームを除いて、反復ウインドウ内のサブフレームにおいて反復的に伝送されることが可能である。
【０１１０】
２つ以上のＣＥ−ＳＩメッセージが定義されるまたは構成される実施形態において、ＭＢＳＦＮサブフレーム構成を包含するＣＥ−ＳＩメッセージは、事前定義された反復数ＮRで伝送されることが可能である。この事例において、ＣＥ−ＳＩメッセージは、非ＣＥ  ＳＩＢ−１を包含するサブフレーム（例えば、偶数番号の付けられた無線フレームにおけるサブフレーム５）、サブフレーム｛１，２，３，６，７，８｝、およびＴＤＤアップリンクサブフレームを含むサブフレームを除いて、連続するＮRのサブフレームにおいて反復的に伝送されることが可能である。ＭＢＳＦＮサブフレーム構成を包含しないＣＥ−ＳＩメッセージは、事前定義された反復数ＮRで伝送されることが可能である。ＣＥ−ＳＩメッセージは、ＳＩＢ−１を包含するサブフレーム、ＭＢＳＦＮサブフレーム、およびＴＤＤアップリンクサブフレームを含むサブフレームを除いて、連続するＮRのサブフレームにおいて反復的に伝送されることが可能である。
【０１１１】
別の実施形態において、潜在的なＭＢＳＦＮサブフレームのサブセットが、ＣＥ−ＳＩメッセージ伝送のために使用されることが可能である。例えば、｛１，２，３，６，７，８｝などの潜在的なＭＢＳＦＮサブフレームのなかで、｛１，２｝などのサブフレームのサブセットが、ＣＥ−ＳＩメッセージ伝送のために使用されることが可能である。この事例において、潜在的なＭＢＳＦＮサブフレームのサブセットにおいて、ＷＴＲＵは、復調参照信号（ＤＭ−ＲＳ）（例えば、アンテナポート７）を使用してＰＤＳＣＨを受信することが可能である。ＤＲ−ＲＳは、同期チャネルから検出されたセルＩＤでスクランブルされることが可能である。
【０１１２】
潜在的なＭＢＳＦＮサブフレームの２つ以上のサブセットが定義されることが可能である。ＣＥ−ＳＩメッセージを包含するＰＤＳＣＨが、潜在的なＭＢＳＦＮサブフレームの第１のサブセットにおけるＤＭ−ＲＳを使用して受信されることが可能であり、ＣＥ−ＳＩメッセージを包含するＰＤＳＣＨが、潜在的なＭＢＳＦＮサブフレームの別のサブセットにおけるＣＲＳを使用して受信されることが可能である。ＰＤＳＣＨ受信は、潜在的なＭＢＳＦＮサブフレームのサブセットに依存することが可能である。
【０１１３】
ＣＥ−ＳＩメッセージ伝送のためのサブフレームのサブセットは、事前定義されることが可能である。潜在的なＭＢＳＦＮサブフレームのサブセットが、すべての無線フレームにおけるＣＥ−ＳＩメッセージ伝送のために使用されることが可能である。潜在的なＭＢＳＦＮサブフレームのサブセットが、無線フレームのサブセットにおけるＣＥ−ＳＩメッセージ伝送のために使用されることが可能である。ＣＥ−ＳＩメッセージのために潜在的なＭＢＳＦＮサブフレームを使用する無線フレームは、事前定義されることが可能である。代替として、ＣＥ−ＳＩメッセージのために潜在的なＭＢＳＦＮサブフレームを使用する無線フレームは、物理セルＩＤの関数として暗黙に構成されることが可能である。
【０１１４】
ＣＥ−ＳＩメッセージ伝送のための潜在的なＭＢＳＦＮサブフレームのサブセットは、ブロードキャストするチャネルを介して構成されることが可能である。例えば、２つ以上のＣＥ−ＳＩメッセージが、定義されることまたは構成されることが可能であり、第１のＣＥ−ＳＩメッセージは、ＣＥ−ＳＩメッセージ伝送のための潜在的なＭＢＳＦＮサブフレームのサブセットと関係する情報を含むことが可能である。
【０１１５】
ＣＥ  ＷＴＲＵは、ＰＢＣＨ（例えば、ＭＩＢ）からＣＥ−ＳＩメッセージ構成関連の情報を受信することが可能である。
【０１１６】
別の実施形態において、ＲＲＣ＿ＣＯＮＮＥＣＴＥＤモードにおけるＷＴＲＵが、ＭＢＳＦＮサブフレームとして構成されないことが可能である潜在的なＭＢＳＦＮサブフレームにおいてＣＥ−ＳＩメッセージを受信することが可能であり、ＲＲＣ＿ＩＤＬＥにおけるＷＴＲＵが、すべての潜在的なＭＢＳＦＮサブフレームにおいてＣＥ−ＳＩメッセージを受信することが可能でない。反復ウインドウは、ＴＴＩの数、連続的なサブフレーム、または無線フレームとして定義されることが可能である。反復ウインドウ内で、ＣＥ−ＳＩメッセージは、ＣＥ−ＳＩメッセージを搬送することが可能ないくつかのまたはすべてのサブフレームにおいて反復的に伝送されることが可能である。例えば、ＣＥ−ＳＩメッセージを搬送するサブフレームは、非ＭＢＳＦＮサブフレームとして定義されることが可能である。別の例に関して、ＣＥ−ＳＩメッセージを搬送するサブフレームは、ＳＩＢ１を包含しない非ＭＢＳＦＮサブフレームとして定義されることが可能である。別の例に関して、ＣＥ−ＳＩメッセージを搬送するサブフレームは、非潜在的なＭＢＳＦＮサブフレーム（例えば、サブフレーム｛０，４，５，９｝）として定義されることが可能である。
【０１１７】
ＣＥ−ＳＩメッセージは、ＣＥ−ＳＩメッセージ伝送のために使用されるサブフレームにおける、ある周波数ロケーションにおいて反復的に伝送されることが可能である。ＲＲＣ＿ＣＯＮＮＥＣＴＥＤモードにおけるＷＴＲＵに関して、そのＷＴＲＵは、そのＷＴＲＵがＣＥ−ＳＩメッセージを受信する必要がある場合、ＭＢＳＦＮサブフレームとして構成されないことが可能であるサブフレーム｛１，２，３，６，７，８｝においてＣＥ−ＳＩを受信することが可能である。ＭＢＳＦＮサブフレーム構成は、より上位のレイヤシグナリングを介してＷＴＲＵに知らされることが可能である。ＲＲＣ−ＩＤＬＥにおけるＷＴＲＵに関して、ＷＴＲＵは、すべての潜在的なＭＢＳＦＮサブフレームがＭＢＳＦＮサブフレームとして構成されるものと想定することが可能である。
【０１１８】
ＣＥ−ＳＩメッセージの反復期間が、提供されることおよび／または使用されることが可能である。
【０１１９】
ＣＥ−ＳＩメッセージが、複数の反復を許すように符号化されることが可能である。許されるＣＥ−ＳＩメッセージ反復の数は、非ＣＥ  ＳＩ手順と比べて増大されて、ＣＥ−ＳＩメッセージを復号するさらなる時間および反復をＣＥ  ＷＴＲＵに許すことが可能である。
【０１２０】
実施形態において、ＣＥ−ＳＩメッセージは、ＣＥ反復期間内のＳＩＢが変化しないように、構成されたウインドウまたはＣＥ反復期間に関して繰り返されることが可能である。このため、ＣＥ  ＷＴＲＵは、ＣＥ反復期間内に受信された１または複数のＣＥ−ＳＩメッセージを組み合わせて、反復期間内のＣＥ−ＳＩメッセージ、例えば、すべてのＣＥ−ＳＩメッセージを復号することを許されることが可能である。実施形態において、ＣＥ反復ウインドウは、別個に定義されることが可能であり、または、ＣＥ−ＳＩメッセージに関して（例えば、非ＣＥ  ＳＩメッセージとは）異なるウインドウサイズを有するＳＩウインドウとして定義されることが可能である。実施形態において、ＣＥ反復ウインドウは、ＣＥ−ＳＩメッセージに関して、非ＣＥ  ＳＩメッセージと比べて、より大きいことが可能である。実施形態において、同一のＣＥ−ＳＩメッセージが、反復ウインドウ内で複数回、繰り返されることが可能であり、ＣＥ−ＳＩメッセージは、反復ウインドウ内で変化しないことが可能である。ＷＴＲＵは、例えば、ＣＥ反復ウインドウ内またはＳＩウインドウ内のＣＥ−ＳＩメッセージの複数の反復を使用して、組み合わせて、または互いに関係付けて、ＣＥ−ＳＩメッセージを読み取り、復号すること、あるいは読み取ることまたは復号することに成功することが可能である。
【０１２１】
ＷＴＲＵは、ＣＥ反復期間において利用可能であるＳＩＢ、ならびに、ＣＥ反復ウインドウ内のＣＥ−ＳＩメッセージのマッピングおよびスケジューリングを有して事前構成されることが可能である。代替として、ＷＴＲＵは、知られているロケーションからスケジューリング情報およびマッピング情報を得て、スケジューリング情報を獲得すると、それが、セルによって伝送されているＣＥ−ＳＩメッセージをどこで、どのように獲得することができるかを決定することが可能である。
【０１２２】
ＣＥ反復期間の持続時間は、ＷＴＲＵにおいて事前構成されること、または、より上位のレイヤによってＷＴＲＵに提供されること（例えば、セル選択がトリガされる前にＰＬＭＮ構成と一緒に）が可能である。代替として、ＷＴＲＵは、例えば、以前の反復期間において、事前定義されたリソースを使用してスケジューリング情報を獲得することによってＣＥ反復期間の持続時間を決定することが可能である。
【０１２３】
実施形態において、ＷＴＲＵは、ＭｏｄｉｆｉｃａｔｉｏｎＩｎｄｉｃａｔｉｏｎと呼ばれることが可能な表示を探して、次の反復ウインドウにおけるＳＩメッセージが変化を有するかどうかを決定するように構成されることが可能である。このことは、ＷＴＲＵが、ＭｏｄｉｆｉｃａｔｉｏｎＦｌａｇを読み取り、ページングメッセージを受信する必要なしに変更期間の概念に従うことができるようにすることが可能である。
【０１２４】
実施形態において、ＭｏｄｉｆｉｃａｔｉｏｎＩｎｄｉｃａｔｉｏｎフラグが、事前定義されたロケーションで、または、第１のＣＥ−ＳＩ伝送機会に送られることが可能であり、ＷＴＲＵは、この固定されたロケーションでそれを探すこと、または、探すように構成されることが可能である。例えば、ＭｏｄｉｆｉｃａｔｉｏｎＩｎｄｉｃａｔｉｏｎフラグは、ＭＩＢ（またはＣＥ−ＭＩＢ）に位置付けられることが可能である。別の実施形態において、ＭｏｄｉｆｉｃａｔｉｏｎＩｎｄｉｃａｔｉｏｎは、後続の反復ウインドウのために反復ウインドウにおいて送られるスケジューリング情報の一部であることが可能である。ＭｏｄｉｆｉｃａｔｉｏｎＩｎｄｉｃａｔｉｏｎフラグは、Ｎのフレームまたはサブフレームごとに、および／または、いくつかのＳＦＮ上で変化することを許されることが可能である、または、そうすることだけが可能であり、ここで、Ｎは、大きい数であることが可能である。ＭｏｄｉｆｉｃａｔｉｏｎＩｎｄｉｃａｔｉｏｎフラグは、変更状態または変更値を示す１または複数のビット（例えば、２ビット）を含むことが可能であり、これを、ＷＴＲＵが以前の状態または値と比較して、変化があったまたは変化があるであろうか否かを決定することが可能である。
【０１２５】
別の実施形態において、いくつかの反復期間が、変更のために確保されることが可能であり、ＷＴＲＵは、構成されたパラメータまたは知られている反復シーケンスに基づいて、いずれの反復期間が変更された情報またはＭｏｄｉｆｉｃａｔｉｏｎＩｎｄｉｃａｔｉｏｎを含むかを決定するように構成されることが可能である。例えば、ＷＴＲＵが、５番目ごとの反復期間が変更されたＳＩメッセージを含むことが可能であることを知るように構成されることが可能であり、そのＷＴＲＵは、このウインドウにおいてＭｏｄｉｆｉｃａｔｉｏｎＩｎｄｉｃａｔｉｏｎを探すことが可能である。
【０１２６】
ＣＥ  ＷＴＲＵに対する動作をできるようにすることが可能なＣＥ−ＳＩメッセージの複数の反復は、セルにおけるオーバヘッドを増大させる可能性がある。そのオーバヘッドのいくつかを低減することを助けることが可能な実施形態が説明される。
【０１２７】
実施形態において、ＣＥ−ＳＩメッセージ伝送のための反復ウインドウは、数において限定されることが可能であり、それらの反復ウインドウは、連続的であることも、そうでないことも可能である。残りの時間は、ＣＥ−ＳＩメッセージなしに非ＣＥ変更期間のために使用されることが可能である。例えば、強化されたカバレッジのための反復を有するＣＥ−ＳＩメッセージは、１０．２４秒ごとに２秒未満であることが可能である。
【０１２８】
実施形態において、ＷＴＲＵは、ＣＥ反復ウインドウおよび非ＣＥ変更期間の発生を示すパターンを有して構成されることが可能である。ＳＩ変更期間を使用する非ＣＥ  ＳＩ伝送は、ＣＥ反復ウインドウにおけるＣＥ−ＳＩ伝送と並行に生じることが可能である。ＷＴＲＵは、例えば、ＷＴＲＵ実施様態に基づいて、両方をリッスンすること、または、一方を他方より優先することが可能である。
【０１２９】
ＣＥ  ＷＴＲＵは、ＣＥ反復期間がいつ生じるかを決定することが可能であり、または、決定するように構成されることが可能であり、その時点で起動することが可能であり、または、その時点で起動だけすることが可能である。例えば、ＷＴＲＵは、ＳＮＦ  ｍｏｄ  Ｘ＝０である場合に反復ウインドウが開始すること、および、反復期間の持続時間がＹ時間であることを決定する、知る、または知るように事前構成されることが可能である。例えば、Ｘは、１０２４であることが可能であり、Ｙは、２秒であることが可能である。Ｘフレームの期間（例えば、１０．２４秒）内で、ＣＥ−ＳＩ反復ウインドウは、構成されたＳＦＮサイクルの最初のＹ時間（例えば、２秒）において生じることが可能である。
【０１３０】
ＷＴＲＵは、ＣＥ−ＳＩメッセージと非ＣＥ  ＳＩメッセージを同一のフレームにおいて別々に、並行に、または同時に受信することを許す規則に従うことが可能であり、または、そのような規則を有して構成されることが可能である。ＣＥ  ＷＴＲＵは、限定されたバッファ容量を有することが可能であり、例えば、ＷＴＲＵが低コストデバイスである場合、同一の伝送時間間隔（ＴＴＩ）においてＣＥ−ＳＩメッセージと非ＣＥ  ＳＩメッセージの両方を獲得することができない可能性がある。ＣＥモードデバイスは、ＣＥデバイスによって使用される反復ウインドウ上で起動することが可能であり、または、そのような反復ウインドウ上で起動だけするように構成されることが可能である。ＣＥモードデバイスは、非ＣＥ  ＳＩメッセージ獲得よりもＣＥ−ＳＩメッセージ獲得を優先することが可能であり、または、そのようにするように構成されることが可能である。非ＣＥモードデバイスは、非ＣＥ−ＳＩメッセージ獲得を優先するように構成されることが可能である。
【０１３１】
ＣＥ−ＳＩメッセージは、動的スケジューリング、半静的スケジューリング、または事前定義されたスケジューリングのうちの１または複数を使用してスケジューリングされることが可能である。
【０１３２】
例えば、ＰＤＣＣＨリソース、ＥＰＤＣＣＨリソース、およびＰＤＳＣＨリソースのうちの１または複数を含むことが可能である事前定義されたまたは構成されたリソースが、将来のＳＩ変更期間（または反復期間もしくは反復ウインドウ）においてＳＩに関する情報を提供するように１つの変更期間（または反復期間もしくは反復ウインドウ）において使用されることが可能である。ＳＩに関する情報は、例えば、１または複数のＳＩメッセージ（例えば、ＳＩＢ）に関するスケジューリング情報を含むことが可能である。スケジューリング情報は、例えば、いずれの１つのフレームもしくは複数のフレーム、および／または、１つのサブフレームもしくは複数のサブフレームにおいて、かつ、いずれの時間周波数リソース（例えば、ＲＢ）において、そのＳＩメッセージまたはそれらのＳＩメッセージが見出されることが可能であるかについての決定（例えば、ＷＴＲＵによる）をすることができるようにすることが可能である情報を含むことができる。スケジューリング情報は、将来のＳＩ変更期間（または反復期間もしくは反復ウインドウ）に関することが可能である。例えば、ｅＮＢが、いつ（例えば、フレームおよび／またはサブフレーム）、および／または、いずれのリソース（例えば、ＲＢ）において、次の変更期間におけるＣＥ−ＳＩを見出すべきかをＷＴＲＵが決定することができるようにすることが可能な、ＣＥ−ＳＩ（例えば、ＣＥ  ＳＩＢ）に関するスケジューリング情報を１つのＳＩ変更期間において送信することが可能であり、ＷＴＲＵがそれを受信することが可能である。変更期間、反復期間、反復ウインドウ、時間期間、および時間ウインドウという用語は、本明細書において互換的に使用されることが可能である。
【０１３３】
スケジューリング情報は、コンパクトスケジューリング情報に含められることが可能であるものなどの情報を含むことが可能である。そのような情報は、例えば、ＷＴＲＵが、ＣＥ−ＳＩおよび／またはそのコンテンツを搬送するＰＤＳＣＨを見出すこと、獲得すること、および／または読み取ることをできるようにすることが可能な、リソース割当てまたはＭＳＣレベルに関する情報を含むことが可能である。実施形態において、スケジューリング情報は、例えば、スケジューリング情報に含められること、または、スケジューリング情報とともに含められることも可能である変更期間内、または、別の時間ウインドウ内のＣＥ−ＳＩの反復に関する情報を含むことが可能である。スケジューリング情報は、ＤＣＩフォーマットに関連付けられることが可能である、ＤＣＩフォーマットおよび／またはＰＤＳＣＨに含められることが可能である。ＤＣＩフォーマットは、ＣＥ  ＷＴＲＵによって使用されることが可能である、新たなＲＮＴＩ（例えば、ＣＥ−ＳＩ−ＲＮＴＩ）でスクランブルされることが可能である。
【０１３４】
ＣＥ  ＷＴＲＵなどのＷＴＲＵが、ＣＥ−ＳＩ−ＲＮＴＩでスクランブルされることが可能な、ＣＥ−ＳＩスケジューリング情報を受信することおよび／または復号することが可能である。ＷＴＲＵは、このスケジューリング情報を使用して、ＣＥ−ＳＩを位置付けることおよび／または獲得することが可能である。ＷＴＲＵは、事前定義されたまたは構成されたロケーション（例えば、チャネル、フレーム、サブフレーム、および／またはＲＢなどのリソース）からのＣＥ−ＳＩスケジューリング情報を受信することが可能である。
【０１３５】
ＷＴＲＵは、ダウンリンク制御情報なしにＣＥ−ＳＩメッセージを受信することが可能である。実施形態において、ＣＥ−ＳＩメッセージを搬送するＰＤＳＣＨに関する時間／周波数リソースおよびＭＳＣレベルのうちの１または複数が事前定義されることが可能である。
【０１３６】
事前定義された時間／周波数リソースは、ＳＩＢ１を包含するサブフレーム、潜在的なＭＢＳＦＮサブフレーム（例えば、ＦＤＤにおけるサブフレーム｛１，２，３，６，７，８｝）およびＴＤＤアップリンクサブフレームのうちの１または複数などのいくつかのサブフレームを除外することが可能である、１または複数のサブフレームにわたるＰＤＳＣＨ領域に位置付けられることが可能である。時間／周波数リソースは、１または複数のサブフレームにおけるＰＲＢのセットであることが可能である。ＰＲＢのセットは、すべてのシステム帯域幅に関して共通であることが可能な固定されたロケーションに位置付けられることが可能である。例えば、中央の６のＰＲＢが、ＣＥ−ＳＩメッセージのために使用されることが可能である。
【０１３７】
実施形態において、ＰＲＢのセットは、ＰＢＣＨ反復を包含しないサブフレーム｛４，９｝などの、いくつかのサブフレームに、または、そのようなサブフレームにだけ位置付けられることが可能である。実施形態において、ＰＲＢのセットは、ある時間フレーム内のサブフレームに位置付けられることが可能である。例えば、無線フレームのサブセットが、ＣＥ−ＳＩメッセージのために使用されることが可能である。ＷＴＲＵは、その無線フレームのＳＦＮ番号を最初に調べるまたは決定することが可能であり、そのＳＦＮ番号が１または複数の事前定義された条件を満たす場合、ＷＴＲＵは、その無線フレームにおいてＣＥ−ＳＩメッセージを受信しようと試みることが可能である。別の例に関して、無線フレームのサブセットが、ＣＥ−ＳＩメッセージのために使用されることが可能であり、無線フレームのサブセットは、物理セルＩＤの関数として定義されることが可能である。ＣＥ−ＳＩメッセージを包含するＰＤＳＣＨに関する変調次数は、四位相偏移変調（ＱＰＳＫ）として固定されることが可能である。
【０１３８】
ＣＥ−ＳＩメッセージを包含するＰＲＢのセットのロケーションは、ダウンリンクシステム帯域幅、物理セルＩＤ、ＭＢＳＦＮサブフレーム構成、サブフレーム番号、無線フレーム番号、および／またはＣＲＳポートの番号のうちの少なくとも１つの関数として定義されることが可能である。実施形態において、ＰＲＢのセットは、システム帯域幅にわたって分散されることが可能である。実施形態において、ＰＲＢのセットは、システム帯域幅内に位置付けられることが可能であり、そのロケーションは、物理セルＩＤの関数として定義されることが可能である。例において、物理セルＩＤとＰＲＢの合計数（例えば、ＣＥ−ＳＩメッセージに関するＰＲＢの数）のモジュロ演算が、ＣＥ−ＳＩメッセージを包含するＰＲＢセットの最初のＰＲＢを決定することが可能であり、または、決定するように使用されることが可能である。１または複数のＲＢＧが、ＰＲＢのセットとして使用されることが可能である。別の例において、ＰＲＢのセットは、連続するＮのＰＲＢなどのＮのＰＲＢであることが可能であり、開始ＰＲＢ番号（またはＰＲＢセットのロケーションの別の識別子）は、物理セルＩＤ、システム帯域幅、サブフレーム番号、無線フレーム番号、および／または選択パラメータのうちの少なくとも１つの関数として決定されることが可能である。選択パラメータは、ＭＩＢにおいて提供されることが可能である。選択パラメータは、その他のパラメータのうちの１または複数の関数であることが可能な、複数のＰＲＢセット候補のなかのＰＲＢセットを識別することが可能であり、または、決定するのに使用されることが可能である。
【０１３９】
ＣＥ−ＳＩメッセージ伝送のためのＰＲＢの数（例えば、Ｎ）は、６（例えば、Ｎ＝６）などの固定された数であることが可能である。ＣＥ−ＳＩメッセージ伝送のためのＰＲＢの数は、ＭＩＢにおいて示されることが可能であり、システム帯域幅の関数として決定されることが可能であり、および／または、ＭＩＢにおけるシステムパラメータの関数として決定されることが可能である。ＣＥ−ＳＩメッセージを包含するＰＤＳＣＨに関する変調次数は、ＱＰＳＫとして固定されることが可能である。
【０１４０】
別の実施形態において、ＣＥ−ＳＩメッセージを搬送するＰＤＣＣＨまたはＥＰＤＣＣＨの時間／周波数ロケーションは、事前定義されることが可能である。例えば、共通探索空間における最初のＮのＣＣＥが、ＣＥ−ＳＩメッセージ伝送のために使用されることが可能であり、ここで、Ｎは、事前定義されることが可能であり、または、サブフレーム番号および／またはＳＦＮ番号の関数として定義されることが可能である。別の例に関して、共通探索空間内のＮのＣＣＥのロケーションは、時間にしたがって変化させられることが可能である。サブフレームのサブセットが、ＣＥ−ＳＩメッセージを包含するＰＤＣＣＨまたはＥＰＤＣＣＨを搬送することが可能である。例えば、ページングのための潜在的なサブフレームは、ＣＥ−ＳＩメッセージ伝送のために使用されないことが可能である。ＣＥ−ＳＩメッセージを包含するＮのＣＣＥのロケーションは、サブフレーム番号および／またはＳＦＮ番号の関数として時間の経過につれて変化させられることが可能である。
【０１４１】
実施形態において、ＣＥ−ＳＩメッセージは、１または複数のリソース候補において伝送されて、ＷＴＲＵが、そのＣＥ−ＳＩメッセージを受信するのにそれらのリソース候補を監視することが可能である、または、監視する必要があることが可能である。ＣＥ−ＳＩメッセージを伝送することが可能な１または複数のリソース候補は、ＰＤＳＣＨ、ＰＤＣＣＨ、またはＥＰＤＣＣＨの１または複数のセットであることが可能である。各リソース候補において、変調次数は、固定されることが可能である（例えば、ＱＰＳＫ）。各リソース候補において、変調次数のセットが使用されることが可能であり、ＷＴＲＵは、そのセット内でＣＥ−ＳＩメッセージを盲目的に検出することが可能であり、または、そのように検出する必要がある可能性がある。１または複数のリソース候補が事前定義されることが可能である。実施形態において、それらのリソース候補は、別々の時間／周波数リソースにおいて定義されることが可能である。例えば、サブフレームにおける重ね合わされていないＰＲＢセットが、それらのリソース候補として使用されることが可能である。別の例に関して、異なるサブフレームにおける同一のＰＲＢセットが、それらのリソース候補として使用されることが可能である。
【０１４２】
ｅＮＢは、ＣＥ  ＷＴＲＵなどの少なくともいくつかのＷＴＲＵに向けられることが可能な１または複数のＳＩＢを伝送することが可能である。これらの１または複数のＳＩＢ（ＣＥ−ＳＩＢ）は、これらのＷＴＲＵに向けられることが可能なシステム情報を、少なくとも他のいくつかのＷＴＲＵ（例えば、非ＣＥ  ＷＴＲＵ）に向けられることが可能なＳＩＢに含められることが可能な情報と組み合わせることが可能である。
【０１４３】
１または複数のＣＥ−ＳＩメッセージが、提供されることおよび／または使用されることが可能である。それらのＣＥ−ＳＩメッセージのうちの少なくとも１つは、関連付けられたＰＤＣＣＨも、関連付けられたＥＰＤＣＣＨも伴わずにＰＤＳＣＨによって搬送されることが可能である。例えば、それらのＣＥ−ＳＩメッセージのうちの少なくとも１つが、知られているまたは決定された時間／周波数ロケーションにおいて伝送されることが可能である。時間／周波数ロケーションは、事前定義されること、事前構成されること、または獲得されたシステム情報またはシステム信号の関数として決定されることが可能である。例えば、それらのＣＥ−ＳＩメッセージのうちの少なくとも１つの時間／周波数ロケーションは、ＭＩＢにおける構成、物理セルＩＤ、ＳＦＮ、サブフレーム番号、または別のＣＥ−ＳＩメッセージのうちの１または複数から知られること、または、決定されることが可能である。知られる、および、決定されるという用語は、本明細書において互換的に使用されることが可能である。
【０１４４】
実施形態において、あるＣＥ−ＳＩメッセージ（例えば、第１のＣＥ−ＳＩメッセージ）が、知られているまたは決定された時間および周波数ロケーションにおいて（例えば、知られているまたは決定された時間および周波数ロケーションにおけるＰＤＳＣＨにおいて）伝送されることが可能である。そのあるＣＥ−ＳＩメッセージは、１または複数の後続のＣＥ−ＳＩメッセージに関するスケジューリング情報が伝送されることが可能なＥＰＤＣＣＨ共通探索空間を示すことが可能である。例えば、そのあるＣＥ−ＳＩメッセージは、ＣＥモードに関連することが可能な、ＥＰＤＣＣＨ共通探索空間のロケーションを包含することが可能であり、ＣＥ  ＷＴＲＵは、ＥＰＤＣＣＨ共通探索空間を監視して、別のＣＥ−ＳＩメッセージのスケジューリング情報を獲得することが可能である。ＣＥモードに関連付けられたＥＰＤＣＣＨ共通探索空間は、いくつかのサブフレームおよび／または無線フレームにおいて伝送されることが可能である。
【０１４５】
別の実施形態において、あるＣＥ−ＳＩメッセージ（例えば、第１のＣＥ−ＳＩメッセージ）が、知られているまたは決定された時間および周波数ロケーションにおけるＰＤＳＣＨを介して伝送されることが可能であり、そのあるＣＥ−ＳＩメッセージが、他のＣＥ−ＳＩメッセージの時間および周波数ロケーションを含むことが可能である。そのあるＣＥ−ＳＩメッセージは、ＳＩＢ−１を含むＣＥ−ＳＩメッセージであることが可能であり、または、そのあるＣＥ−ＳＩメッセージは、２つ以上のＣＥ−ＳＩメッセージが使用される場合、最初のＣＥ−ＳＩメッセージであることが可能である。例において、そのあるＣＥ−ＳＩメッセージに関する時間および周波数ロケーションは、奇数番号の付けられたＳＦＮにおけるサブフレーム５における中央の６のＰＲＢなど、事前定義されることが可能である。別の例において、そのあるＣＥ−ＳＩメッセージに関する時間および周波数ロケーションは、以前のシステム情報（例えば、ＭＩＢまたはＣＥ−ＭＩＢ）から獲得されたシステムパラメータの関数として決定されることが可能である。
【０１４６】
別の実施形態において、第１のＣＥ−ＳＩメッセージが、知られているまたは決定された時間および周波数ロケーションにおいて伝送されることが可能である。別の、例えば、後続のＣＥ−ＳＩメッセージの時間および周波数ロケーションは、以前のＣＥ−ＳＩメッセージによって示されることが可能である。例えば、３つのＣＥ−ＳＩメッセージが使用される場合、最初のＣＥ−ＳＩメッセージロケーションは、知られているまたは決定されることが可能であり、２番目のＣＥ−ＳＩメッセージロケーションは、最初のＣＥ−ＳＩメッセージから示されることが可能である。３番目のＣＥ−ＳＩメッセージロケーションは、最初のまたは２番目のＣＥ−ＳＩメッセージから示されることが可能である。
【０１４７】
別の実施形態において、あるＣＥ−ＳＩメッセージ（例えば、第１のＣＥ−ＳＩメッセージ）を搬送するＰＤＳＣＨのスケジューリング情報が、ＭＩＢ（例えば、ＣＥ−ＭＩＢ）から示されることが可能である。例えば、そのＭＩＢ（またはＣＥ−ＭＩＢ）は、周波数ロケーション、時間ロケーション、変調次数、トランスポートブロックサイズ（ＴＢ）サイズ、およびＲＰＢの数の１または複数を含むことが可能な、そのあるＣＥ−ＳＩメッセージのスケジューリング情報を搬送することが可能である。
【０１４８】
別の実施形態において、あるＣＥ−ＳＩメッセージ（例えば、第１のＣＥ−ＳＩメッセージ）を搬送するＰＤＳＣＨは、知られている時間および周波数ロケーションにおいて伝送されることが可能であり、他のスケジューリング情報は、ＭＩＢ（またはＣＥ−ＭＩＢ）から示されることが可能である。例において、ＰＤＳＣＨの変調次数、および、ＴＢＳサイズは、ＭＩＢ（またはＣＥ−ＭＩＢ）から示されることが可能である。別の例において、ＰＤＳＣＨの変調次数は、固定される（例えば、ＱＰＳＫ）ことが可能であり、ＴＢＳサイズのセットは、そのあるＣＥ−ＳＩメッセージに関して定義されることが可能である。ＴＢＳサイズのサブセットは、ＭＩＢから示されることが可能である。ＣＥ  ＷＴＲＵは、ＴＢＳサイズのサブセット内でブラインド復号試行を実行することが可能である。
【０１４９】
別の実施形態において、あるＣＥ−ＳＩメッセージ（例えば、第１のＣＥ−ＳＩメッセージ）を搬送するＰＤＳＣＨは、知られている時間ロケーション（例えば、サブフレームおよび／または無線フレーム）において伝送されることが可能であり、その他のスケジューリング情報は、ＭＩＢ（またはＣＥ−ＭＩＢ）から示されることが可能である。例において、ＰＤＳＣＨの周波数ロケーションとＴＢＳサイズのセットが、ＭＩＢ（またはＣＥ−ＭＩＢ）から示されることが可能であり、ここで、周波数ロケーションとＴＢＳサイズのセットは、可能なすべての候補のサブセットであることが可能である。別の例において、ＰＤＳＣＨの周波数ロケーションのセットが、物理セルＩＤと、システムＢＷとを含む１つまたは複数のシステムパラメータの関数として決定されることが可能であり、そのセット内の周波数ロケーションは、ＭＩＢ（またはＣＥ−ＭＩＢ）から明示的に示されることが可能であり、ここで、周波数ロケーションのセットは、可能なすべての候補のサブセットであることが可能である。ＴＢＳサイズのセットが、システムパラメータのうちの１または複数の関数として決定されることが可能であり、セット内のＴＢＳサイズは、ＭＩＢ（またはＣＥ−ＭＩＢ）から明示的に示されることが可能であり、ここで、ＴＢＳサイズのセットは、可能なすべての候補のサブセットであることが可能である。
【０１５０】
１または複数のＣＥ−ＳＩメッセージが、ＰＤＳＣＨによって搬送されることが可能であり、ＰＤＳＣＨの周波数ロケーションは、システムパラメータ、ＣＥ−ＳＩメッセージ番号、および／またはサブフレームおよび無線フレーム番号の関数として決定されることが可能である。例において、第１のＣＥ−ＳＩメッセージおよび第２のＣＥ−ＳＩメッセージの周波数ロケーションは、あるサブフレームおよび／またはある無線フレームにおいて異なることが可能である。別の例において、あるＣＥ−ＳＩメッセージの周波数ロケーションは、サブフレーム番号および／または無線フレーム番号（例えば、ＳＦＮ）にしたがって異なることが可能である。あるＣＥ−ＳＩメッセージの周波数ロケーションは、サブフレーム番号、無線フレーム番号、および／または関連付けられたＳＩ−ＲＮＴＩの関数として決定されることが可能である。
【０１５１】
ページングなしのＳＩ更新検出のための手段が提供されることおよび／または使用されることが可能である。
【０１５２】
ＷＴＲＵは、値タグが、ＷＴＲＵが記憶した値タグ、例えば、その値タグの以前の読取り値とは異なるかどうかに基づいて、いくつかのＳＩＢ（例えば、値タグに関連付けられたＳＩＢ）が更新されているかどうかを決定することが可能である。その値タグは、ＳＩＢ１などの、あるＳＩＢを読み取ることから得られることが可能である。
【０１５３】
ＣＥ  ＷＴＲＵをサポートするｅＮＢが、ある事前定義された時間に（例えば、ＳＩＢ１は、２０ミリ秒ごとにサブフレーム５において伝送されることが可能である）、かつ、ある時間ウインドウ内またはある変更期間内などの、各伝送において同一の時間／周波数リソース（例えば、同一のＲＢ）において、その値タグを包含することが可能な、ＣＥ−ＳＩＢなどのＳＩＢを伝送することが可能である。そのＳＩＢは、ＰＤＳＣＨにおいて伝送されることが可能である。
【０１５４】
ＣＥ  ＷＴＲＵは、その値タグを包含するＳＩＢが、事前定義された時間に（例えば、ＳＩＢ１は、２０ミリ秒ごとにサブフレーム５において伝送されることが可能である）、かつ、ある時間ウインドウ内（例えば、変更期間内）に各伝送において同一の時間／周波数リソース（例えば、同一のＲＢ）において伝送されることが可能であるものと想定することが可能である。
【０１５５】
事前定義された時間のサブセットのそれぞれにおいて、ＷＴＲＵは、ＳＩ−ＲＮＴＩなどの、あるＲＮＴＩでスクランブルされることが可能な、ＤＣＩフォーマットを獲得して、所望されるＳＩＢを搬送することが可能なＰＤＳＣＨに関するスケジューリング情報（例えば、リソース割当て、ＭＳＣレベルなど）を提供することが可能なＤＣＩフォーマットを得ることが可能である。ＷＴＲＵは、ＤＣＩフォーマットの複数の獲得を組み合わせて、それを復号することに成功することが可能である。
【０１５６】
ＤＣＩフォーマットから復号されたスケジューリング情報、または、事前定義されたもしくは事前構成されたスケジューリング情報に基づくなど、他の手段に基づいて、ＷＴＲＵは、値タグを含むことが可能なＳＩＢを伝送することが可能なＰＤＳＣＨを獲得することが可能である。ＷＴＲＵが、ＤＣＩフォーマットを獲得するのに使用したサブセットの後であることが可能な、事前定義された時間のサブセットのそれぞれにおいて、ＷＴＲＵは、ＳＩＢを搬送することが可能なＰＤＳＣＨを受信することが可能である。ＷＴＲＵは、ＰＤＳＣＨの複数の獲得を組み合わせて、ＳＩＢのコンテンツを読み取ることに成功することが可能である。
【０１５７】
ページングを伴うＳＩ更新検出のための手段が提供されることおよび／または使用されることが可能である。
【０１５８】
ページングは、ＷＴＲＵが１または複数のＳＩＢを獲得するまたは再獲得する必要性を示すことが可能な、１または複数のＳＩＢの更新を示すのに使用されることが可能である。いくつかのＷＴＲＵ（例えば、ＣＥ  ＷＴＲＵおよび／または低減された帯域幅（ＢＷ）のＷＴＲＵ）は、同一のサブフレームにおけるＰＤＳＣＨ上でページングＤＣＩフォーマットおよびページングメッセージを読み取ることに困難を有する可能性がある。これらおよび／または他のＷＴＲＵに関して、ページング機構、または、ページング機構の一部（例えば、ＳＩＢ更新と関係するページング機構）が、例えば、ＤＣＩフォーマットにおけるページングと同一のサブフレームにおいてページングメッセージＰＤＳＣＨを獲得する、および／または、読み取る必要性を解消するように変更されることが可能である。ＳＩＢを獲得することおよび再獲得することは、ＳＩＢのコンテンツを読み取ることを含むことが可能である。
【０１５９】
実施形態において、ＤＣＩフォーマットが、１または複数のＷＴＲＵに向けられる１または複数のＳＩＢ更新をページングするのに、および／または、さもなければ、示すのに使用されることが可能であり、ここで、ＤＣＩフォーマットは、関連付けられたＰＤＳＣＨなしに伝送されることが可能である。ＤＣＩフォーマットは、ＤＬ許可関連の情報を包含しないことが可能であり、ＤＣＩフォーマットは、ページングのために使用されることが可能でありかつＰＤＳＣＨに関連付けられることが可能である通常のＤＣＩフォーマットと比べて、より小さいことが可能である。ＤＣＩフォーマットは、接続モードおよび／またはアイドルモードにあるＷＴＲＵによって使用されることに向けられることが可能であり、または、そのようなＷＴＲＵによって使用されることが可能である。
【０１６０】
ＤＣＩフォーマットは、ＲＮＴＩでスクランブルされることが可能であり、そのＲＮＴＩは、非ＣＥ  ＷＴＲＵにページングするために使用されることが可能なＰ−ＲＮＴＩ（例えば、Ｐｓｈｏｒｔ−ＲＮＴＩ）とは異なることが可能である。ＤＣＩフォーマットをスクランブルするための別のＲＮＴＩまたは別の機構が使用され、それでも、本明細書において説明される実施形態と合致していることが可能である。
【０１６１】
ＤＣＩフォーマットのコンテンツは、ｓｙｓｔｅｍＩｎｆｏＭｏｄｉｆｉｃａｔｉｏｎなどのシステム情報変更の表示を含むことが可能であり、これは、この表示に関連付けられることが可能な１または複数のＳＩＢ（例えば、値タグに関連付けられることが可能な１または複数のＳＩＢ）が、変化しているかどうか、または将来の変更期間の開始時またはその前に変化するかどうかを示すことが可能である。この表示は、例えば、少なくともＴＲＵＥおよび／またはＦＡＬＳＥの値を有することが可能である。別の例において、この表示は、変化させられた値または状態が、関連付けられたＳＩＢのうちの１または複数が変化していることを、または、次の変更期間の開始時に変化することを示すように値または状態を示すことが可能な、値タグに類似した値であることが可能である。
【０１６２】
ＷＴＲＵが、ＤＣＩフォーマット、例えば、変更が生じているまたは生じることを示す値（例えば、値ＴＲＵＥ、または、値が変化している）を有するＳＩ変更表示を包含する、ＰｓｈｏｒｔＲＮＴＩでスクランブルされたものを受信および／または復号すると、ＷＴＲＵは、その表示または値タグに関連付けられることが可能な１または複数のＳＩＢを獲得することまたは再獲得することが可能である（例えば、次の変更期間の開始時に、または、その後で）。ＷＴＲＵは、関係のあるＳＩＢスケジューリング情報（例えば、ＳＩＢ１、あるいは、ＳＩＢスケジューリング情報を包含するＣＥ  ＳＩＢ）を含むＳＩＢを最初に獲得して、および／または、読み取って、例えば、それが、最新のスケジューリング情報を有することを確実にしてから、他のＳＩＢを獲得しようと試みることが可能である。
【０１６３】
ＤＣＩフォーマットのコンテンツは、ＥＴＷＳに関連付けられることが可能な１または複数のＳＩＢ（例えば、ＳＩＢ１０および／またはＳＩＢ１１）が変化していることが可能であるかどうかを示すことが可能なＥＴＷＳ表示（例えば、ｅｔｗｓ−Ｉｎｄｉｃａｔｉｏｎ）を含むことが可能である。この表示は、少なくともＴＲＵＥまたはＦＡＬＳＥの値を有することが可能である。別の例において、表示は、変化させられた値または状態が、関連付けられたＳＩＢのうちの１または複数が変化している可能性があることを示すように値または状態を示すことが可能な、値タグに類似した値であることが可能である。ＷＴＲＵ（例えば、ＥＴＷＳ対応のＷＴＲＵ）が、変更が生じているまたは生じることを示す値（例えば、値ＴＲＵＥ、または、値が変化している）を有するＥＴＷＳ表示を包含するＤＣＩフォーマット、例えば、Ｐｓｈｏｒｔ−ＲＮＴＩでスクランブルされたものを受信および／または復号すると、ＷＴＲＵは、ＥＴＷＳに関連付けられた１または複数のＳＩＢを獲得することまたは再獲得することが可能である。ＷＴＲＵは、次の変更期間を待つことなしに（例えば、可能な限りに早く）これらの１または複数のＳＩＢを獲得しよう、または、再獲得しようと試みることを始めることが可能である。ＷＴＲＵは、関係のあるＳＩＢスケジューリング情報（例えば、ＳＩＢ１）を包含するＳＩＢを最初に獲得しておよび／または読み取って、例えば、それが、最新のスケジューリング情報を有することを確実にしてから、１または複数のＥＴＷＳ関連のＳＩＢを獲得しようと試みることが可能である。
【０１６４】
ＤＣＩフォーマットのコンテンツは、ＣＭＡＳに関連付けられることが可能な１または複数のＳＩＢ（例えば、ＳＩＢ１２）が変化している可能性があるかどうかを示すことが可能な、ＣＭＡＳ表示（例えば、ｃｍａｓ−Ｉｎｄｉｃａｔｉｏｎ−ｒ９）を含むことが可能である。この表示は、少なくともＴＲＵＥおよび／またはＦＡＬＳＥの値を有することが可能である。別の例において、この表示は、変化させられた値または状態が、関連付けられたＳＩＢのうちの１または複数が変化している可能性があることを示すように値または状態を示すことが可能な、値タグに類似した値であることが可能である。ＷＴＲＵ（例えば、ＣＭＡＳ対応のＷＴＲＵ）が、変更が生じているまたは生じることを示す値（例えば、値ＴＲＵＥ、または、値が変化している）を有するＣＭＡＳ表示を包含する、Ｐｓｈｏｒｔ−ＲＮＴＩでスクランブルされたものなどのＤＣＩフォーマットを受信および／または復号すると、ＷＴＲＵは、そのＣＭＡＳに関連付けられた１または複数のＳＩＢを獲得すること、または、再獲得することが可能である。ＷＴＲＵは、次の変更期間を待つことなしに（例えば、可能な限りに早く）これらの１または複数のＳＩＢを獲得しよう、または、再獲得しようと試みることを始めることが可能である。ＷＴＲＵは、関係のあるＳＩＢスケジューリング情報（例えば、ＳＩＢ１）を包含するＳＩＢを最初に獲得しておよび／または読み取って（例えば、それが、最新のスケジューリング情報を有することを確実にするように）から、１または複数のＣＭＡＳ関連のＳＩＢを獲得しようと試みることが可能である。
【０１６５】
ＤＣＩフォーマットのコンテンツは、ＥＡＢパラメータを包含する１または複数のＳＩＢ（例えば、ＳＩＢ１４）が変化している可能性があるかどうかを示すことが可能な、ＥＡＢパラメータ変更表示（例えば、ｅａｂ−ＰａｒａｍＭｏｄｉｆｉｃａｔｉｏｎ−Ｉｎｄｉｃａｔｉｏｎ−ｒ１１）を含むことが可能である。この表示は、少なくともＴＲＵＥおよび／またはＦＡＬＳＥの値を有することが可能である。別の例において、この表示は、変化させられた値または状態が、関連付けられたＳＩＢのうちの１または複数が変化している可能性があることを示すように値または状態を示すことが可能な、値タグに類似した値であることが可能である。ＷＴＲＵ（例えば、ＥＡＢ対応のＷＴＲＵ）が、変更が生じているまたは生じることを示す値（例えば、値ＴＲＵＥ、または、値が変化している）を有するＥＡＢパラメータ変更表示を包含する、Ｐｓｈｏｒｔ−ＲＮＴＩでスクランブルされたものなどのＤＣＩフォーマットを受信および／または復号すると、ＷＴＲＵは、ＥＡＢに関連付けられた１または複数のＳＩＢを獲得すること、または、再獲得することが可能である。ＷＴＲＵは、次の変更期間を待つことなしに（例えば、可能な限りに早く）これらの１または複数のＳＩＢを獲得しよう、または、再獲得しようと試みることを始めることが可能である。ＷＴＲＵは、ＳＩＢスケジューリング情報（例えば、ＳＩＢ１）を包含する関係のあるＳＩＢを最初に獲得しておよび／または読み取って（例えば、それが、最新のスケジューリング情報を有することを確実にするように）から、１または複数のＥＡＢ関連のＳＩＢを獲得しようと試みることが可能である。
【０１６６】
ＤＣＩフォーマットを受信することおよび／または復号することは、ＤＣＩフォーマットの反復を組み合わせること（例えば、ソフトコンバイニング（soft combining）を行うこと）を含むことが可能である。例えば、カバレッジ拡張されたＷＴＲＵなどのいくつかのＷＴＲＵは、ＤＣＩフォーマットの反復を受信することが可能であり、そのＤＣＩフォーマットを復号することおよび／またはそのコンテンツを得ることに成功するためにそれらを一緒に組み合わせることが可能である。
【０１６７】
ＤＣＩフォーマットの伝送は、非ＣＥページングと同一の（または類似した）スケジューリングおよび／または規則によることが可能であり、または、異なるスケジューリングおよび／または規則によることが可能である。そのスケジューリングおよび／または規則は、示されることが可能なＳＩＢ変化のタイプに依存して異なることが可能である。例えば、ＥＴＷＳ、ＣＭＡＳ、およびＥＡＢのうちの少なくとも１つに関するＳＩＢ更新を示すためのスケジューリングおよび／または規則は、非ＣＥページングに関するスケジューリングおよび／または規則と同一である（または類似する）ことが可能である。値タグ関連のＳＩＢ更新を示すためのスケジューリングおよび／または規則は、非ＣＥページングに関するスケジューリングおよび／または規則と異なることが可能である。以下の同一の（または類似した）スケジューリングおよび／または規則は、例えば、ＤＣＩフォーマットがカバレッジ拡張のために繰り返されることが可能である場合に、ＤＣＩフォーマットの少なくとも最初の伝送のために不連続受信（ＤＲＸ）サイクルおよび／またはページング機会を使用することを意味することが可能である。ＤＣＩフォーマットは、ＰＤＣＣＨまたはＥＰＤＣＣＨにおいてｅＮＢによって送信され、および／または、ＷＴＲＵによって受信されることが可能である。
【０１６８】
ＳＩＢが更新されるまたは更新されることになる場合、ｅＮＢは、ＷＴＲＵにページングして、変化または差し迫った変化についてそれらに知らせることが可能である。そのページングは、変化している可能性があるＳＩＢを読み取るようＷＴＲＵに示すことが可能である、ＰＤＳＣＨにおけるページングメッセージを読み取るようＷＴＲＵに示すことが可能である、ページングＤＣＩフォーマット（例えば、Ｐ−ＲＮＴＩでスクランブルされた）によって示されることが可能である。ＣＥ  ＷＴＲＵなどのいくつかのＷＴＲＵは、ページングメッセージとＳＩＢの両方に関してＤＣＩフォーマットおよびＰＤＳＣＨを読み取るために、相当な量の反復を要求する可能性がある。ＳＩＢを繰り返すことは、システム帯域幅を浪費する可能性があり、相当な反復の使用は、更新を受信することの遅延をもたらす可能性があるので、これらのＷＴＲＵに関して、それらのＳＩＢ（またはいくつかのＳＩＢ）に関する、より多くの反復を使用すること、または、そのような反復に依拠することは望ましくない可能性がある。
【０１６９】
実施形態において、ＤＣＩフォーマットは、１または複数のＷＴＲＵに１または複数のＳＩＢ更新を、または、１または複数のＷＴＲＵに向けられた１または複数のＳＩＢ更新をページングするように、および／または、さもなければ、示すように使用されること、または、伝送される（例えば、ｅＮＢによって）ことが可能であり、ここで、ＰＤＳＣＨが、そのＤＣＩフォーマットに関連付けられることが可能であり、変更されたＳＩＢ情報の少なくともいくつかが、ＰＤＳＣＨに含められることが可能である。ＤＣＩフォーマットは、ＲＮＴＩでスクランブルされることが可能であり、ＲＮＴＩは、非ＣＥ  ＷＴＲＵをページングするために使用されることが可能なＰ−ＲＮＴＩ（例えば、Ｐｓｉｂ−ＲＮＴＩ）とは異なることが可能である。ＤＣＩフォーマットをスクランブルするための他の任意のＲＮＴＩまたは手段が、使用され、それでも、本明細書において説明される実施形態と合致していることが可能である。
【０１７０】
ＣＥ  ＷＴＲＵなどのＷＴＲＵが、少なくともいくつかのＳＩＢ情報が変化していることを示す表示を包含するＤＣＩフォーマット（例えば、Ｐｓｉｂ−ＲＮＴＩでスクランブルされたもの）を受信および／または復号すると、ＷＴＲＵは、関連付けられたＰＤＳＣＨを獲得して（これは、ＰＤＳＣＨの反復を組み合わせることを含むことが可能である）、例えば、更新されたＳＩＢ情報を得ることが可能である。ＤＣＩフォーマットは、関連付けられたＰＤＳＣＨなしのＳＩＢ更新ＤＣＩフォーマットに関して説明されるとおり、いずれのタイプのＳＩＢ情報が変化しているまたは変化するかについての１または複数の表示を含むことが可能である。
【０１７１】
いずれのタイプのＳＩＢ情報が変化している、または、変化するかについての１または複数の表示は、関連付けられたＰＤＳＣＨに含められることが可能である。示されることが可能なＳＩＢ情報のタイプは、ＣＥ−ＳＩＢ情報、値タグ関連のＳＩＢ情報、ＥＴＷＳ関連のＳＩＢ情報、ＣＭＡＳ関連のＳＩＢ情報、およびＥＡＢ関連のＳＩＢ情報のうちの１または複数を含むことが可能である。１または複数のタイプ（例えば、各タイプ）のＳＩＢ情報に関して、そのタイプの情報に変化あったかどうか、または、変化があるかどうかを示すことが可能な別個の情報が提供されることが可能である。
【０１７２】
ＤＣＩフォーマットにおける表示は、更新されたＳＩＢ情報が、ＤＣＩフォーマットに関連付けられたＰＤＳＣＨに含まれるかどうかを示すことが可能である。その表示が、更新されたＳＩＢ情報が、関連付けられたＰＤＳＣＨに含まれることを示す場合、ＷＴＲＵは、その関連するＰＤＳＣＨ（これは、ＰＤＳＣＨの反復を組み合わせることを含むことが可能である）を獲得して、その更新されたＳＩＢ情報を得ることが可能である。その表示が、更新されたＳＩＢ情報が、関連付けられたＰＤＳＣＨに含まれない可能性があることを示す場合、ＷＴＲＵは、それらのＳＩＢ自体を獲得することによって、更新されたＳＩＢ情報を獲得することが可能である。デフォルト（例えば、表示の欠如）は、関連付けられたＰＤＳＣＨから、または、それらのＳＩＢ自体からそれらのＳＩＢを獲得するようＷＴＲＵに示すことが可能である。
【０１７３】
更新されたＳＩＢ情報を、関連付けられたＰＤＳＣＨから獲得するかどうかは、ＳＩＢ情報のタイプに特有であることが可能である。例えば、更新されたＳＩＢ情報を、関連付けられたＰＤＳＣＨから獲得するかどうかを示す表示をＤＣＩフォーマットに含めることが、ＳＩＢ情報のタイプに特有であることが可能である。いくつかの更新されたＳＩＢ情報、例えば、更新されたＥＴＷＳおよび／またはＣＭＡＳ情報などの、更新されたクリティカルな情報が、ＤＣＩフォーマットに関連付けられたＰＤＳＣＨに含められることが可能である（または常に含められることが可能である）。更新されたＳＩＢ情報を、ＤＣＩフォーマットに関連付けられたＰＤＳＣＨから、または、ＳＩＢ自体から獲得するかどうかについての表示は、ＤＣＩフォーマットに関連付けられたＰＤＳＣＨに常に含められることが可能であるＳＩＢ情報またはＳＩＢ情報のタイプ、および／または、ＤＣＩフォーマットに関連付けられたＰＤＳＣＨに含められない（または決して含められない）ことが可能であるＳＩＢ情報またはＳＩＢ情報のタイプに関して、含められないことが可能である。
【０１７４】
いくつかのＳＩＢ情報（例えば、あるＳＩＢ１またはＣＥ−ＳＩＢ情報）が、ＤＣＩフォーマットに関連付けられたＰＤＳＣＨに含められることが可能である。例えば、１または複数の値タグ（例えば、非ＣＥ  ＳＩＢの更新を示すのに使用される値タグ）が含められることが可能である。値タグは、以下のシナリオ、すなわち、値タグが変化した場合、常に、または他のいくつかのシナリオのうちの少なくとも１つにおいて、ＤＣＩフォーマットに関連付けられたＰＤＳＣＨに含められることが可能である。別の例において、ＳＩＢスケジューリング情報が含められることが可能である。ＳＩＢスケジューリング情報は、以下のシナリオ、すなわち、ＳＩＢスケジューリング情報が変化した場合、常に、または他のいくつかのシナリオのうちの少なくとも１つにおいて、ＤＣＩフォーマットに関連付けられたＰＤＳＣＨに含められることが可能である。
【０１７５】
ＤＣＩフォーマットに関連付けられたＰＤＳＣＨに含められた更新されたＳＩＢに関して、ＳＩＢに関して含められた情報は、変化しているＳＩＢ情報、それが変化しているか否かにかかわらずＳＩＢ情報のすべて、または、それが変化しているか否かにかかわらず重要なＳＩＢ情報などのあるＳＩＢ情報のうちの１または複数を含むことが可能である。
【０１７６】
値タグに関連付けられたＳＩＢに関して、ＳＩＢのすべてが、それらのコンテンツが変化しているか否かにかかわらず、ＤＣＩフォーマットに関連付けられたＰＤＳＣＨに含められることが可能である。値タグに関連付けられたＳＩＢに関して、１つのさらなる表示または複数のさらなる表示が、いずれのＳＩＢが変化しているかを示すように含められる（例えば、ＤＣＩフォーマットまたはＰＤＳＣＨに）ことが可能である。変化しているＳＩＢは、ＰＤＳＣＨに含められることが可能である。
【０１７７】
ＳＩＢがＰＤＳＣＨに含められる場合、そのＳＩＢのコンテンツのうちのいくつかまたはすべてが含められることが可能である。含められることが可能であるコンテンツは、更新されたコンテンツ、重要なコンテンツ（例えば、スケジューリング情報）、またはすべてのコンテンツのうちの少なくとも１つであることが可能である。値タグに関連付けられることが可能なＳＩＢなどのＳＩＢに関して、更新されたＳＩＢコンテンツは、変更期間にしたがってＷＴＲＵによって適用されることが可能である。例えば、更新されたＳＩＢコンテンツが、１つの変更期間においてＷＴＲＵによって受信される場合、ＷＴＲＵは、次の変更期間の開始時にその更新されたコンテンツを適用することが可能である。
【０１７８】
ＤＣＩフォーマットおよび／またはＤＣＩフォーマットに関連付けられたＰＤＳＣＨの反復が、更新されたＳＩＢコンテンツを受信することに成功するようにＷＴＲＵによって使用される場合、ＷＴＲＵは、ＤＣＩフォーマットおよび／またはＰＤＳＣＨの反復の開始ポイントおよび／または終了ポイント（例えば、ＷＴＲＵによって決定されたとおりの）を使用して、更新されたＳＩＢコンテンツをいつ適用すべきかを決定することが可能である。例えば、開始ポイントと終了ポイントが同一の変更期間にある場合、ＷＴＲＵは、更新されたＳＩＢコンテンツを次の変更期間の開始時に適用することが可能である。別の例に関して、開始ポイントと終了ポイントが異なる変更期間にある場合、ＷＴＲＵは、更新されたＳＩＢコンテンツを、それを受信した後、適用することが可能であり、次の変更期間を待たないことが可能である。
【０１７９】
セルが、ＰＢＣＨまたはＭＩＢを伝送する、または、繰り返されることが可能な別の伝送を行うことが可能である。ＷＴＲＵが、そのＰＢＣＨ、ＭＩＢ、またはその別の伝送を受信することが可能である。
【０１８０】
ＰＢＣＨ、ＭＩＢ、ＰＢＣＨの伝送、ＭＩＢの伝送、またはその別の伝送のうちの１または複数が、Ｎビットなどのいくつかのビットを使用する、そのようなビットから成る、そのようなビットから構成される、またはそのようなビットを含むことが可能である。Ｎビットのうちのいくつか、例えば、Ｍビットが、非ＣＥ  ＷＴＲＵなどの少なくともいくつかのＷＴＲＵ（例えば、ＬＴＥリリース１２および／またはより早期のリリースなどの、あるリリースおよび／またはより早期のリリースのＷＴＲＵ）によって使用されることが可能であり、または、そのようなＷＴＲＵによって使用されることに向けられることが可能である。Ｎビットのうちのいくつか、例えば、Ｐビットが、例えば、ある能力または機能を有する可能性があるまたは有さない可能性があるＷＴＲＵ、例えば、とりわけ、セルの帯域幅と比べて低減された帯域幅において動作することが可能なＷＴＲＵ、ＣＥモードをサポートすることもしくはＣＥモードで動作すること、または、反復などのＣＥ機構を使用することが可能なＷＴＲＵ、および、ＥＰＤＣＣＨ共通探索空間をサポートすることまたは使用することが可能なＷＴＲＵなどの、いくつかのＷＴＲＵによって使用されることが可能であり、または、そのようなＷＴＲＵによって使用だけされることが可能であり、あるいは、そのようなＷＴＲＵによって使用されることに向けられることが可能であり、または、そのようなＷＴＲＵによって使用だけされることに向けられることが可能である。Ｎビットのうちのいくつかのビットは、将来の使用のために確保されることが可能であり、および／または、予備のビットと見なされることが可能である。例えば、Ｓの予備のビットが存在することが可能である。Ｓ＝Ｎ−Ｍが、予備のビットの数を表すことが可能である。Ｓは、例えば、１０と等しいことが可能である。Ｐは、Ｓのサブセットであることが可能であり、または、そうである必要がある可能性がある。予備のビットは、限定されることが可能であるので、新たな機能もしくは能力、または、ある機能もしくは能力をサポートするのにそれらのビットのうち可能な限り少数を使用することが望ましい可能性がある。ＭおよびＰは、０以上の整数であることが可能である。
【０１８１】
実施形態において、ＰＢＣＨのＭビットなどの、いくつかのビットが、すべての時間において同一の意味を有して、例えば、非ＣＥ  ＷＴＲＵをサポートすることが可能である一方で、ＰＢＣＨのＰビットのうちの１または複数などの他の１または複数のビットが、異なる時間に異なる意味を有して、例えば、予備のビットの使用を限定することが可能である。その意味は、伝送の時間などの、少なくとも時間の関数であることが可能である。例えば、セルが、すべての時間において同一の意味でＰＢＣＨのいくつかのビットを伝送し、異なる時間において異なる意味でＰＢＣＨの他の１または複数のビットを伝送することが可能であり、ここで、意味の違いは、少なくとも、ＳＦＮ、サブフレーム、および／または伝送のタイムスロットなどの伝送の時間の関数であることが可能である。ＷＴＲＵは、セルからＰＢＣＨのいくつかのビットを受信し、それらのビットの意味を、すべての時間において同一の様態で解釈することが可能である。ＷＴＲＵは、セルからのＰＢＣＨの他の１または複数のビットを受信することが可能であり、それらのビットの意味を異なるように解釈することが可能であり、ここで、解釈の違いは、送信または受信のＳＦＮ、サブフレーム、および／またはタイムスロットなどの、少なくとも送信または受信の時間の関数であることが可能である。
【０１８２】
実施形態において、ＰＢＣＨのコンテンツ（例えば、ＭＩＢに含められたパラメータ）は、異なる時間において異なることが可能である。ＰＢＣＨのコンテンツのうちの少なくともいくつかは、送信または受信の時間などの、少なくとも時間の関数であることが可能である。ＷＴＲＵが、セルからＰＢＣＨを受信することが可能であり、コンテンツを、送信または受信のＳＦＮ、サブフレーム、および／またはタイムスロットなどの、少なくとも送信または受信の時間の関数として解釈することが可能である。セルが、ＰＢＣＨのいくつかのコンテンツを、送信または受信のＳＦＮ、サブフレーム、および／またはタイムスロットなどの、少なくとも送信または受信の時間の関数として送信することが可能である。例えば、いずれのパラメータが伝送に含められるかが、送信または受信の時間の関数であることが可能である。
【０１８３】
各伝送時間（例えば、サブフレーム、フレーム、ＳＦＮ、またはタイムスロット）におけるＰＢＣＨのビットの意味またはコンテンツのうちの少なくともいくつかは、事前定義される、または、事前構成される、あるいは、さもなければ、ＷＴＲＵおよび／またはセルによって知られるまたは決定されることが可能である。代替として、意味またはコンテンツは、例えば、セルによってＰＢＣＨに含められることが可能な、１または複数のビット（またはフラグもしくはパラメータ）によって動的に構成されることが可能である。ＷＴＲＵは、ＰＢＣＨにおけるビット（またはフラグもしくはパラメータ）の１つのセットを使用して、ＰＢＣＨにおけるビットの別のセットまたは別のコンテンツの意味またはコンテンツを解釈することが可能である。ＷＴＲＵは、ＰＢＣＨのコンテンツの一部分を使用して、ＰＢＣＨの別の部分の意味またはコンテンツを解釈することが可能である。セルは、ＰＢＣＨのコンテンツの一部分を伝送して、または提供して、または使用して、ＰＢＣＨの別の部分の意味またはコンテンツを識別することが可能である。ビットがそれらの意味を変化させる（またはＰＢＣＨのコンテンツのうちの少なくともいくつかが変化する）か否かは、それらのビットを伝送するセルまたは他のエンティティの能力、機能、または特徴サポートのうちの１または複数の関数であることが可能である。いずれのビットがおよび／またはいくつのビットがそれらの意味を変化させるか（またはいずれのコンテンツが含められるかまたは変化するか）は、それらのビットを伝送するセルまたは他のエンティティの能力、機能、または特徴サポートのうちの１または複数の関数であることが可能である。例えば、低減された帯域幅のＷＴＲＵ、カバレッジ限定されたＷＴＲＵ、またはＥＰＤＣＣＨ共通探索空間などの、ある能力、機能、または特徴をサポートすることが可能なセルが、異なる時間において異なる意味で異なるＰＢＣＨコンテンツ、または、ＰＢＣＨにおける１または複数のビットを伝送することが可能であり、ここで、意味の違いは、伝送の時間の関数であることが可能である。伝送の時間の例は、伝送のＳＦＮ、サブフレーム、およびタイムスロットを含む。
【０１８４】
ビットがそれらの意味を変化させることは、コンテンツが変化することであること、または、コンテンツが変化することを含むことが可能である。コンテンツが変化することは、ビットがそれらの意味を変化させることであること、または、ビットがそれらの意味を変化させることを含むことが可能である。コンテンツは、１または複数のパラメータを含むことが可能である。コンテンツ、パラメータ、およびビットという用語は、本明細書において互換的に使用されることが可能である。
【０１８５】
ＷＴＲＵが、セルからＰＢＣＨにおいて１または複数のビットを受信することが可能であり、それらのビット（またはＰＢＣＨのコンテンツの少なくともいくつか）の意味を、低減された帯域幅、カバレッジ拡張、またはＥＰＤＣＣＨ共通探索空間などの、ＷＴＲＵのおよび／またはセルの、いくつかの能力、機能、または特徴に関するサポートに基づいて、少なくとも時間の関数として異なるように解釈することが可能であり、または、解釈することを理解することが可能である。ＷＴＲＵは、時間、および／または、セルから受信される他の伝送の関数としてその（またはそれらの）意味を変化させないことが可能な、ＰＢＣＨにおける１または複数のビット（またはコンテンツ）から、いくつかの能力、機能、または特徴に関するセルのサポートを決定することが可能である。
【０１８６】
ＰＢＣＨ（または他の伝送）は、いくつかの（例えば、Ｍ）ビットに関して、４０ミリ秒であることが可能な伝送期間、ＴＰ１を有すること、または、使用することが可能である。ＴＰ１の間、ＰＢＣＨは、例えば、１０ミリ秒ごとに少なくとも１回など、１回、または複数回、セルによって伝送されることが可能であり、ここで、Ｍビットの値は、変化しないことが可能である。Ｍビットは、ＴＰ１の開始時に、または、ＴＰ１ごとにそれらの値を変化させることが可能である。Ｍビットの意味は、例えば、セルに関してまたはセルにおいて、変化しないことが可能であり、または、決して変化しないことが可能である。例えば、ＴＰ１＝４０ミリ秒に関して、ＴＰ１の開始は、ＳＦＮ  ｍｏｄ  ４＝０に対応することが可能であり、Ｍビットは、ＳＦＮ  ｍｏｄ  ４＝０であるたびに、それらの値を変化させることが可能である（またはそれらの値を変化させることを許されることが可能である）が、それらの意味を変化させることは可能でない。時間の関数としてそれらの意味を変化させることが可能なＰＢＣＨビットは、ＴＰ１境界上でそれらの意味を変化させることが可能である。例えば、ある数、例えば、Ｐ１、ビットが、時間に依存する２つの意味を有することが可能である。それらのビットの意味は、ｋ×ＴＰ１ごとに交替することが可能であり、次のｋ×ＴＰ１まで一定のままであることが可能であり、ここで、ｋは、０より大きいことが可能な整数である。ＴＰ１＝４０ミリ秒かつｋ＝１に関して、それらのビットの意味、および、意味の解釈は、４０ミリ秒ごとに交替することが可能である。その意味、および、その意味の解釈は、ＳＦＮに依存することが可能である。例えば、ＳＦＮ  ｍｏｄ  ８＝０乃至ＳＦＮ  ｍｏｄ  ８＝３に関して、Ｐ１ビットは、１つの意味を有することが可能であり、ＳＦＮ  ｍｏｄ  ８＝４乃至ＳＦＮ  ｍｏｄ  ８＝７に関して、Ｐ１ビットは、別の意味を有することが可能である。これは、関数Ｆ＝Ｆｌｏｏｒ［０．２５×ＳＦＮ  ｍｏｄ  ８］によって表されることが可能であり、ここで、Ｐ１ビットは、Ｆ＝０である場合、１つの意味を有することが可能であり、Ｆ＝１である場合、別の意味を有することが可能である。
【０１８７】
別の表現は、Ｆ＝Ｆｌｏｏｒ［（ＳＦＮ  ｍｏｄ（２×ｋ×４））／（ｋ×４）］であり、ここで、Ｐ１ビットは、Ｆ＝０である場合、１つの意味を有することが可能であり、Ｆ＝１である場合、別の意味を有することが可能である。ｋ＝２に関して、Ｐ１ビットは、８０ミリ秒ごとに意味を交替させることが可能である。
【０１８８】
異なる時間においてそれらの意味を変化させることが可能な、Ｐビットのサブセットなどの、ビットの複数のサブセットが存在することが可能である。時間の経過につれてその意味を変化させないことが可能な、Ｐ０ビットなどの、Ｐビットのサブセットが存在することが可能であり、または、そのようなサブセットが存在することも可能である。例えば、Ｐ１ビットなどの、いくつかのビットの１つのサブセットに関して、意味は、ｋ１×ＴＰ１ごとに変化することまたは交替することが可能である。Ｐ１ビットと重なり合わないことが可能な、Ｐ２ビットなどの、ビットの別のサブセットに関して、意味は、ｋ２×ＴＰ１ごとに変化することまたは交替することが可能である。例において、ｋ１＝１であり、かつ、ｋ２＝２である。Ｐ１ビットは、４０ミリ秒ごとにそれらの意味を変化させることまたは交替させることが可能である一方で、Ｐ２ビットは、８０ミリ秒ごとにそれらの意味を変化させることまたは交替させることが可能である。Ｐ０ビットは、すべての時間において同一の意味を有することが可能である。
【０１８９】
別の例において、ある数、例えば、Ｐ１、ビットが、時間に依存することが可能な意味を有することが可能である。ビットは、ｋ×ＴＰ１ごとにそれらの意味を巡回して、ｍ×ｋ×ＴＰ１ごとに意味を繰り返すことが可能である。ｋ＝１、ｍ＝４、およびＴＰ１＝４０ミリ秒に関して、Ｐ１ビットは、４０ミリ秒ごとにそれらの４つの意味のそれぞれを巡回して（例えば、かつ、４０ミリ秒間、同一のままであり）、１６０ミリ秒ごとに同一の意味を有することが可能である。
【０１９０】
図６は、時間または時間期間にしたがって意味を変化させることが可能ないくつかのビットを含む例示的な伝送の図６００である。図６に示される例において、伝送は、例えば、繰り返されることが可能なＭＩＢ伝送またはＰＢＣＨ伝送であることが可能である。例示される例において、伝送期間（ＴＰ）が、伝送期間番号（ＴＰＮ）、例えば、ｎ，ｎ＋１，．．．によって識別される。例において、ＴＰは、４０ミリ秒である。ＴＰＮは、１０ビットＳＦＮの最上位８ビットであることが可能である、ＳＦＮ、または、ＭＩＢにおいて包含されるもしくは伝送されるＳＦＮを表すこと、または、そのようなＳＦＮに対応することが可能である。複数のＴＰにわたる例示的な伝送において、いくつかのビットは、意味を変化させない６０２（例えば、それらのビットは、すべてのＴＰＮまたはＳＦＮに関して同一の情報を搬送する）。例示的な伝送において、いくつかのビットが、ＴＰＮごとにまたはＳＦＮごとに意味を交替させる６０４（例えば、ビットが、各ＴＰＮまたは各ＳＦＮにおいて情報１を搬送すること、または、情報２を搬送することの間で交替する）。例示的な伝送において、いくつかのビットが、ＴＰＮごとにまたはＳＦＮごとに４つの異なる意味を巡回する６０６（例えば、ビットが、各ＴＰＮまたは各ＳＦＮにおいて情報１、情報２、情報３、または情報４を搬送することを巡回する）。あるＴＰＮを有するＴＰの持続時間の間、ＭＩＢが繰り返されることが可能である。あるＴＰの間の反復に関して、伝送されるビットの意味は、同一であることが可能である。例において、あるＴＰ（例えば、あるＴＰＮまたはＳＦＮを有する）におけるＭＩＢ伝送、ＰＢＣＨ伝送、または他の伝送が、時間または時間期間にしたがって意味を変化させないビット６０２、および、時間または時間期間にしたがって意味を変化させるビットの１または複数のセット６０４および／または６０６を含むことが可能である。例において、コンテンツまたはパラメータが、ビットの代わりに使われることが可能であり、そのコンテンツまたはパラメータは、ＴＰＮまたはＳＦＮにしたがって、同一であることあるいは変化することが可能である。
【０１９１】
別の実施形態において、ＰＢＣＨのコンテンツの少なくともいくつか（例えば、に含められたパラメータ）が、時間の関数として変化することが可能である。時間の関数として変化することが可能な、ＰＢＣＨのコンテンツは、ＴＰ１境界上で変化することが可能である。例えば、コンテンツのいくつかのセットが存在することが可能であり、ここで、伝送されるセットは、時間に依存することが可能である。例えば、コンテンツの２つのセットが存在することが可能であり、伝送されるセットが、ｋ×ＴＰ１ごとに交替することが可能であり、次のｋ×ＴＰ１まで一定のままであることが可能であり、ここで、ｋは、０より大きいことが可能な整数である。
【０１９２】
別の実施形態において、１または複数のビットが、いくつかの伝送期間（例えば、ＰＢＣＨ伝送期間）において意味を有するが、他においては有さないことが可能である。いくつかの伝送期間に関して、ビットは、使用されないこと、０に設定されること、または将来の使用のために確保されることが可能である。例えば、ビットのセットが、偶数の伝送期間においてなど、１つおきの伝送期間において伝送されることが可能であり、１つおきの伝送において意味を交替させることが可能である。４０ミリ秒の伝送期間に関して、ビットが伝送されることが可能であり、４０ミリ秒の偶数倍においてそれらの意味を交替させることが可能である。４０ミリ秒の奇数倍において、ビットは、使用されないこと、０であること、または将来の使用のために確保されることが可能である。ビットの使用および意味は、伝送期間内の伝送に関して変化しないことが可能である。
【０１９３】
ＰＢＣＨおよびＭＩＢという用語は、本明細書において互換的に使用されることが可能であり、例示的な目的で使用される。別のタイプの別の伝送が、ＰＢＣＨまたはＭＩＢの代わりに使われて、それでも、本明細書において説明される実施形態と合致していることが可能である。また、セルおよびｅＮＢという用語も、本明細書において互換的に使用されることが可能である。
【０１９４】
例において、ＰＢＣＨにおけるセルによって伝送されることが可能なビットは、セルの機能または能力を識別することが可能である、いくつかのパラメータの値を示すことが可能であり、および／または、ＣＥ−ＳＩＢ（例えば、ＣＥ−ＳＩＢ１）、ＭＴＣ−ＳＩＢ（例えば、ＭＴＣ−ＳＩＢ１）、またはＥＰＤＣＣＨ共通探索空間（ＣＳＳ）などの、セルからの別の伝送を受信するのにＷＴＲＵによって使用されることまたは必要とされることが可能である。１または複数のＰＢＣＫビットが、異なる時間において異なる意味を有することが可能であり、ここで、異なる意味は、セルのまたはその他の伝送の異なるパラメータであることが可能である。セルが、異なる時間において異なる意味を有する１または複数のＰＢＣＨビットを送信して、セルおよび／または別の伝送に関するパラメータを伝えることが可能である。ＷＴＲＵが、異なる時間において異なる意味を有するＰＢＣＨビットを受信して、セルおよび／またはその別の伝送に関するパラメータを得ることが可能である。ＷＴＲＵは、これらのパラメータのうちの１または複数を使用して、その別の伝送を監視すること、受信すること、受信することに成功すること、および／または復号することのうちの少なくとも１つを行うことが可能である。ＷＴＲＵは、これらのパラメータのうちの１または複数を使用して、セルの機能または能力を決定することが可能である。
【０１９５】
その別の伝送に関するパラメータは、その伝送に関する以下、すなわち、時間ロケーション、周波数ロケーション、トランスポートブロックサイズ（ＴＢＳ）、変調次数、反復の数、個々の伝送または反復が統合されることが可能であるシステム情報（ＳＩ）ウインドウまたは他のウインドウ、ＳＩ変更期間、および／または伝送サブフレームにおける開始シンボルのうちの少なくとも１つを含むことが可能である。ＥＰＤＣＣＨ  ＣＳＳなどのＥＰＤＣＣＨに関して、パラメータは、以下、すなわち、ＥＰＤＣＣＨ候補の数（例えば、ブラインド復号の数）、ＥＣＣＥ集約レベル、ＥＣＣＥ反復の数、分散動作モードまたは局所化された動作モードの選択、およびＤＣＩフォーマットサイズのうちの少なくとも１つを含むことが可能であり、または、含むことも可能である。
【０１９６】
時間ロケーションは、伝送が送信されることまたは受信されることが可能な各フレームまたは各識別されたフレームにおけるサブフレームまたはサブフレームのセットを識別することが可能である。時間ロケーションは、伝送が送信されることまたは受信されることが可能なフレームを識別することが可能である。ビット、例えば、いくつかのビットが、事前定義されたサブフレームおよび／またはフレームのセットのうちの１つのサブフレームおよび／またはフレームを識別するのに使用されることが可能である。例えば、時間ロケーションが、４０ミリ秒、８０ミリ秒、１６０ミリ秒、または３２０ミリ秒ごとの可能性を有する場合、２ビットが、４つの可能性のうちの１つを識別するのに使用されることが可能である。ＳＦＮ＝０が、計時に関する開始と見なされることが可能である。別の例において、フレーム内のサブフレームが、０または５の可能性を有する場合、１ビットで十分である可能性がある。フレーム内のサブフレームは、０、４、５、または９の可能性を有し、２ビットで十分である可能性がある。ＰＢＣＨのＷＴＲＵ受信は、セルのＴＤＤ  ＵＬ／ＤＬ構成を決定することに先立って実行されることが可能である。時間ロケーションが、すべてのＴＤＤ  ＵＬ／ＤＬ構成においてＤＬでないことが可能なＤＬ伝送に関するサブフレームを示す場合、ＷＴＲＵは、その示されたサブフレームが、セルにおけるＤＬサブフレームであると理解することが可能である。
【０１９７】
周波数ロケーションは、伝送のために使用されることが可能なＰＲＢのセットを識別することが可能である。ＰＲＢの数が識別されることが可能である。６以下であるＰＲＢの数に関して、３ビットが使用されることが可能である。限定されたオプション数（例えば、２、４、または６のＰＲＢ）からの選択に関して、より少ないビットが使用されることが可能である。開始ＰＲＢが識別されることが可能であり、または、識別されることも可能である。
【０１９８】
開始ＰＲＢ、または、セルの帯域幅内のＰＲＢのロケーションは、開始ＰＲＢまたは帯域幅ロケーションのセットのうちの１つの開始ＰＲＢまたは帯域幅ロケーションであることが可能である。そのセットは、セルＩＤ、ＳＦＮ、および他の要因のうちの１または複数に基づいて固定されること、または、決定されることが可能である。例えば、ＰＢＣＨにおいて提供されることが可能な周波数ロケーションが、セット内のいずれの開始ＰＲＢまたはいずれの帯域幅ロケーションをその伝送が使用することが可能であるかを識別することが可能である。
【０１９９】
例において、１ビット、例えば、ｂ１が、低減された帯域幅のＷＴＲＵに関するセルのサポートを示すのに使用されることが可能であり、１ビット、例えば、ｂ２が、カバレッジ拡張されたＷＴＲＵに関するセルのサポートを示すのに使用されることが可能であり、２ビット、例えば、ｂｂ１が、ＣＥ−ＳＩＢ１の周期性を示すのに使用されることが可能であり、２ビット、例えば、ｂｂ２が、ＣＥ−ＳＩＢ１に関する周波数帯域幅を識別するのに使用されることが可能であり、２ビット、例えば、ｂｂ３が、ＣＥ−ＳＩＢ１に関するＰＲＢの数を識別するのに使用されることが可能であり、２ビット、例えば、ｂｂ４が、ＣＥ−ＳＩＢ１に関するＴＢＳを識別するのに使用されることが可能である。すべてのビットを一緒に含めることは、１０ビットを必要とすることが可能である。代替として、交替する意味を有する１ビットが、異なる時間期間、例えば、交替する４０ミリ秒時間期間においてｂ１およびｂ２を表すのに使用されることが可能である。巡回する意味を有する２ビットが、１６０ミリ秒サイクルにおける４つの４０ミリ秒時間期間のそれぞれなどの、異なる時間期間においてｂｂ１、ｂｂ２、ｂｂ３、およびｂｂ４を表すのに使用されることが可能である。
【０２００】
ＷＴＲＵが、それらの意味を変化させないことが可能な、ＰＢＣＨにおけるビットからＳＦＮの値を決定することが可能である。１または複数のビットが、ＰＢＣＨに含められて、フレームがカウントされることが可能であり、かつ、信号が反復されることおよび／または変更されることが可能である時間のウインドウを増大させることが可能である。追加される１ビットまたは複数のビットと組み合わされたＳＦＮは、ロングＳＦＮまたはＬＳＦＮと呼ばれることが可能である。ＬＳＦＮは、本明細書における実施形態においてＳＦＮに取って代わり、それでも、本発明と合致していることが可能である。ＷＴＲＵは、ＳＦＮまたはＬＳＦＮの値を使用して、サブフレームにおけるＰＢＣＨビットの意味を決定することが可能である。
【０２０１】
別の例において、ＰＢＣＨにおいてセルによって伝送されることが可能なビットは、セルの１または複数の機能もしくは能力を識別することが可能であり、および／または、ＣＥ−ＳＩＢ（例えば、ＣＥ−ＳＩＢ１）、ＭＴＣ−ＳＩＢ（例えば、ＭＴＣ−ＳＩＢ１）、またはＥＰＤＣＣＨ共通探索空間（ＣＳＳ）などの、セルからの別の伝送を受信するのにＷＴＲＵによって使用されることまたは必要とされることが可能なパラメータの部分（例えば、セグメント）またはパラメータのセットを示すことが可能である。１または複数のＰＢＣＨビットは、異なる時間において異なる意味を有することが可能であり、ここで、異なる意味は、セルのまたはその他の伝送のパラメータの異なる部分（例えば、セグメント）またはパラメータのセットであることが可能である。セルが、異なる時間において異なる意味を有する１または複数のＰＢＣＨビットを送信して、セルのまたはその他の伝送のパラメータの異なる部分またはパラメータのセットを伝えることが可能である。ＷＴＲＵが、異なる時間において異なる意味を有するＰＢＣＨビットを受信して、セルのおよび／または他の伝送のパラメータの異なる部分またはパラメータのセットを得ることが可能である。ＷＴＲＵは、パラメータの部分またはパラメータのセットを組み合わせて（例えば、再組立てして、または連結して）、パラメータまたはパラメータのセットの値を決定することが可能である。ＷＴＲＵは、他の伝送を監視すること、受信すること、受信および／または復号するのに成功することのうちの少なくとも１つにこれらのパラメータのうちの１または複数を使用することが可能である。ＷＴＲＵは、これらのパラメータのうちの１または複数を使用して、セルの機能または能力を決定することが可能である。部分およびセグメントという用語は、本明細書において互換的に使用されることが可能である。
【０２０２】
物理レイヤセグメント化および／または再組立て（例えば、セグメントの）が、セルおよび／またはＷＴＲＵによって使用されることが可能である。Ｔビットが、セルまたは伝送のパラメータまたはパラメータのセットを表すことが可能である。Ｔビットは、ビットの少なくとも２つのセットにセグメント化されることが可能である。セグメントのうちのいくつかまたはすべては、等しい数のビットを有することが可能である。セグメントは、例えば、Ｔがセグメントの数で割り切れない場合、より少ないビットを有することが可能である。Ｔが、セグメントの数で割り切れない場合、すべてのセグメントが同一の数のビットを有することができるようにすることが可能なパディングが、１または複数の（例えば、最後の）セグメントにおいて使用される（例えば、０）ことが可能である。Ｎセグメントに関して、各セグメントは、ＳＢ＝Ｔ／Ｎビットを含むことが可能である。例えば、Ｔ＝２０であり、かつ、Ｎ＝４である場合、ＳＢ＝５である。２０ビットは、４つのＰＢＣＨ伝送のそれぞれにおいて、例えば、連続する４つのＰＢＣＨ伝送期間のそれぞれにおいて５ビットとして伝送されることが可能である。セグメント当たりのＳＢビットに関して、Ｎは、ＣＥＩＬ［Ｔ／ＳＢ］と等しいことが可能である。Ｎが２の累乗ではない場合、１または複数のＰＢＣＨ伝送は、セグメントビットを含まないことが可能であり、または、セグメントビットの代わりにパディング（例えば、０）を含むことが可能である。ＴがＳＢの倍数ではない場合、少なくとも１つのセグメントは、１または複数のパディングビットを含むことが可能である。例えば、Ｔ＝２０であり、かつ、ＳＢ＝３である場合、Ｎ＝７である。２０ビットが、８のＰＢＣＨ伝送のそれぞれにおいて３ビットとして伝送され、ここで、その伝送のうちの６つが、３パラメータビットを含むことが可能である場合、１つの伝送は、２パラメータビットを含むことが可能であり、１つの伝送は、パラメータビットを全く含まないことが可能である。パラメータビットが全く伝送されない場合、パディングまたは０が使用されることが可能である。
【０２０３】
ＷＴＲＵが、例えば、ＳＦＮに基づいて、いずれのセグメントビットをそれが受信することが可能であるかを理解することが可能である。ＷＴＲＵは、十分な（例えば、すべての）セグメントビットを受信するまで待ってから、パラメータの値、または、パラメータのセットの値を決定することが可能である。
【０２０４】
ＰＤの周期性を有するＮのセグメントのセットが、ＰＤごとに繰り返されることが可能である。Ｎのセグメントのそれぞれが、ＰＤごとに繰り返されることが可能である。ＰＤごとに、セグメントは、同一の値または異なる値（例えば、値がセルによって変更されている場合）を有することが可能である。変化（または可能な変化）の周期性は、セグメント周期性より長いことが可能であり、例えば、変化（または可能な変化）の周期性は、セグメント周期性の倍数であることが可能である。
【０２０５】
ビットがどのようにセグメント化されるか、および、セグメントがいつ伝送されるか（例えば、サブフレーム、フレーム、ＳＦＮ）は、事前定義されること、事前構成されること、および／または、ＷＴＲＵおよび／またはセルによって知られることまたは決定されることが可能である。
【０２０６】
（実施形態）
１．システム情報を受信するワイヤレス送信／受信ユニット（ＷＴＲＵ）のための方法であって、ＷＴＲＵがカバレッジ拡張（ＣＥ）モードにあるか、または、非ＣＥモードにあるかを決定することを備える方法。
【０２０７】
２．ＷＴＲＵがＣＥモードにあると決定されたという条件付きで、ＣＥシステム情報ブロック（ＣＥ−ＳＩＢ）を、ＣＥ−ＳＩＢに関する知られているロケーションまたは少なくとも１つの知られているパラメータのうちの少なくとも１つに基づいて、物理ダウンリンク共有チャネル（ＰＤＳＣＨ）上で受信することをさらに備える実施形態１の方法。
【０２０８】
３．物理ブロードキャストチャネル（ＰＢＣＨ）またはＣＥ−ＰＢＣＨを介して搬送されるマスタ情報ブロック（ＭＩＢ）から情報を得ることをさらに備える実施形態１または２の方法。
【０２０９】
４．知られているロケーションを、ＰＢＣＨを介して搬送されるＭＩＢから得られた情報に基づいて決定することをさらに備える実施形態３の方法。
【０２１０】
５．知られているロケーションを、物理セルＩＤ、ダウンリンクシステム帯域幅、およびセル特有の参照信号（ＣＲＳ）ポートの番号のうちの少なくとも１つの関数として決定することをさらに備える実施形態２〜４のいずれか１つの方法。
【０２１１】
６．ＣＥ−ＳＩＢに関する知られているロケーションまたは少なくとも１つの知られているパラメータのうちの少なくとも１つは、ＭＩＢにおける１または複数のビットあるいは確保されたビットから示される実施形態３〜５のいずれか１つの方法。
【０２１２】
７．知られているロケーションを、サブフレーム番号、無線フレーム番号、またはシステムフレーム番号（ＳＦＮ）のうちの少なくとも１つの関数として決定することをさらに備える実施形態２〜６のいずれか１つの方法。
【０２１３】
８．ＣＥ−ＳＩＢに関する少なくとも１つの知られているパラメータは、トランスポートブロックサイズ（ＴＢＳ）候補のセットを含み、方法は、そのセットにおけるＴＢＳ候補に関するブラインド復号試行を実行することをさらに備える実施形態２〜７のいずれか１つの方法。
【０２１４】
９．ＴＢＳ候補のセットは、ＴＢＳ候補のサブセットである実施形態８の方法。
【０２１５】
１０．ＷＴＲＵが非ＣＥモードにあると決定されたという条件付きで、非ＣＥ  ＳＩＢを、関連付けられた物理ダウンリンク制御チャネル（ＰＤＣＣＨ）上で受信された情報に基づいて、ＰＤＳＣＨ上で受信することをさらに備える実施形態１〜９のいずれか１つの方法。
【０２１６】
１１．ＣＥ−ＳＩＢは、非ＣＥ  ＳＩＢのうちの１つまたはサブセットを含む実施形態２〜１０のいずれか１つの方法。
【０２１７】
１２．ＣＥ−ＳＩＢは、変更ウインドウ内でＷＴＲＵによって受信されるように繰り返し利用可能にされる実施形態２〜１１のいずれか１つの方法。
【０２１８】
１３．ワイヤレス送信／受信ユニット（ＷＴＲＵ）がカバレッジ拡張（ＣＥ）モードにあるか、または、非ＣＥモードにあるかを決定するように構成されたプロセッサを備えるＷＴＲＵ。
【０２１９】
１４．プロセッサは、ＷＴＲＵがＣＥモードにあると決定されたという条件付きで、ＣＥシステム情報ブロック（ＣＥ−ＳＩＢ）を、ＣＥ−ＳＩＢに関する知られているロケーションまたは少なくとも１つの知られているパラメータのうちの少なくとも１つに基づいて、物理ダウンリンク共有チャネル（ＰＤＳＣＨ）上で受信するよう受信機を制御するようにさらに構成される請求項１３のＷＴＲＵ。
【０２２０】
１５．プロセッサは、物理ブロードキャストチャネル（ＰＢＣＨ）を介して搬送されるマスタ情報ブロック（ＭＩＢ）から情報を得るようにさらに構成される実施形態１３または１４のＷＴＲＵ。
【０２２１】
１６．プロセッサは、知られているロケーションを、ＰＢＣＨまたはＣＥ−ＰＢＣＨを介して搬送されるＭＩＢから得られる情報に基づいて決定するようにさらに構成される実施形態１５のＷＴＲＵ。
【０２２２】
１７．プロセッサは、知られているロケーションを、物理セルＩＤ、ダウンリンクシステム帯域幅、およびセル特有の参照信号（ＣＲＳ）ポートの番号のうちの少なくとも１つの関数として決定するようにさらに構成される実施形態１４〜１６のいずれか１つのＷＴＲＵ。
【０２２３】
１８．ＣＥ−ＳＩＢに関する知られているロケーションまたは少なくとも１つの知られているパラメータのうちの少なくとも１つは、ＭＩＢにおける１または複数のビットあるいは確保されたビットから示される実施形態１６または１７のＷＴＲＵ。
【０２２４】
１９．プロセッサは、知られているロケーションを、サブフレーム番号、無線フレーム番号、またはシステムフレーム番号（ＳＦＮ）のうちの少なくとも１つの関数として決定するようにさらに構成される実施形態１４〜１８のいずれか１つのＷＴＲＵ。
【０２２５】
２０．ＣＥ−ＳＩＢに関する少なくとも１つの知られているパラメータは、トランスポートブロックサイズ（ＴＢＳ）候補のセットを含み、方法は、そのセットにおけるＴＢＳ候補に関するブラインド復号試行を実行することをさらに備える実施形態１４〜１９のいずれか１つのＷＴＲＵ。
【０２２６】
２１．ＴＢＳ候補のセットは、ＴＢＳ候補のサブセットである実施形態２０のＷＴＲＵ。
【０２２７】
２２．プロセッサは、ＷＴＲＵが非ＣＥモードにあると決定されたという条件付きで、非ＣＥ  ＳＩＢを、関連付けられた物理ダウンリンク制御チャネル（ＰＤＣＣＨ）上で受信された情報に基づいて、ＰＤＳＣＨ上で受信するよう受信機を制御するようにさらに構成される実施形態１３〜２１のいずれか１つのＷＴＲＵ。
【０２２８】
２３．ＣＥ−ＳＩＢは、非ＣＥ  ＳＩＢのうちの１つまたはサブセットを含む実施形態１４〜２２のいずれか１つのＷＴＲＵ。
【０２２９】
２４．ＣＥ−ＳＩＢは、変更ウインドウ内でＷＴＲＵによって受信されるように繰り返し利用可能にされる実施形態１４〜２３のいずれか１つのＷＴＲＵ。
【０２３０】
２５．無線周波数（ＲＦ）伝送を受信することおよび送信することを行うように構成された、受信機に通信可能に接続されたアンテナをさらに備える実施形態１４〜２３のいずれか１つのＷＴＲＵ。
【０２３１】
２６．少なくとも１つのカバレッジ拡張モードＳＩＢ（ＣＥ−ＳＩＢ）と、複数の非ＣＥ−ＳＩＢとを含む複数のシステム情報ブロック（ＳＩＢ）を生成するように構成されたプロセッサを備える基地局であって、少なくとも１つのＣＥ−ＳＩＢは、非ＣＥ−ＳＩＢのうちの１つまたはサブセットに包含されるシステム情報のいくつかまたはすべてを含む基地局。
【０２３２】
２７．１または複数の物理ダウンリンク共有チャネル（ＰＤＳＣＨ）上で少なくとも１つのＣＥ−ＳＩＢおよび複数の非ＣＥ−ＳＩＢを伝送するように構成された送信機をさらに備える実施形態２６の基地局。
【０２３３】
２８．プロセッサは、少なくとも１つの物理ダウンリンク制御チャネル（ＰＤＣＣＨ）上で、ワイヤレス送信／受信ユニット（ＷＴＲＵ）が、複数の非ＣＥ−ＳＩＢを受信することまたは復号することのうちの少なくとも１つのために使用する情報を伝送するよう送信機を制御するようにさらに構成される実施形態２６または２７の基地局。
【０２３４】
２９．プロセッサは、少なくとも１つのＰＤＳＣＨ上で少なくとも１つのＣＥ−ＳＩＢを伝送するよう送信機を制御するようにさらに構成され、その少なくとも１つのＣＥ−ＳＩＢを受信するためおよび復号するための情報は、ＰＤＣＣＨ上で提供されない実施形態２６〜２８の基地局。
【０２３５】
３０．プロセッサは、変更ウインドウ内で少なくとも１つのＣＥ−ＳＩＢを繰り返し伝送するよう送信機を制御するようにさらに構成される実施形態２６〜２９のいずれか１つの基地局。
【０２３６】
特徴および要素は、特定の組合せにおいて前段で説明されるものの、当業者は、各特徴または各要素が、単独で、またはその他の特徴および要素と任意の組合せで使用され得ることを認識する。さらに、本明細書において説明される方法は、コンピュータまたはプロセッサによって実行されるようにコンピュータ可読媒体に組み込まれたコンピュータプログラム、ソフトウェア、またはファームウェアにおいて実施されることが可能である。コンピュータ可読媒体の例は、電子信号（有線接続またはワイヤレス接続を介して伝送される）およびコンピュータ可読記憶媒体を含む。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの磁気媒体、光磁気媒体、およびＣＤ−ＲＯＭディスクおよびデジタルバーサタイルディスク（ＤＶＤ）などの光媒体を含むが、以上には限定されない。ソフトウェアに関連するプロセッサが、ＷＴＲＵ、ＵＥ、端末装置、基地局、ＲＮＣ、および任意のホストコンピュータにおいて使用されるように無線周波数トランシーバを実施するのに使用されることが可能である。
【図１Ａ】
0006293354.tif 000002
【図１Ｂ】
0006293354.tif 000003
【図１Ｃ】
0006293354.tif 000004
【図２】
0006293354.tif 000005
【図３】
0006293354.tif 000006
【図４】
0006293354.tif 000007
【図５】
0006293354.tif 000008
【図６】
0006293354.tif 000009